(57)【特許請求の範囲】
【請求項１】
遊技に伴う演出が表示され、第１視野角からの可視画像と第２視野角からの可視画像とを表示可能な表示領域を有する表示手段と、
前記表示領域に表示される複数の演出パターンを記憶する演出パターン記憶手段と、
前記演出パターン記憶手段に記憶される複数の演出パターンに対応する画像を記憶する画像記憶手段と、
遊技状態を検出する遊技状態検出手段と、
前記遊技状態検出手段によって検出された遊技状態に基づいて抽選を行う抽選手段と、
前記抽選結果に基づいて前記演出パターン記憶手段に記憶された複数の演出パターンのなかから前記表示領域にて表示される演出パターンを決定する演出パターン決定手段と、
前記演出パターン決定手段によって決定された演出パターンに対応する画像を、前記画像記憶手段から読み出して前記表示手段にて表示されるように制御する表示制御手段と、
を備え、
前記表示領域は、
遊技領域の略中央部を含む位置に位置し、正面視において前記第１視野角からの可視画像と前記第２視野角からの可視画像との両方を視認できる第１表示領域と、
前記第１表示領域に隣接する位置に位置し、正面視において前記第１視野角からの可視画像は視認できないものの前記第２視野角からの可視画像を視認できる第２表示領域と、
を少なくとも有し、
前記表示制御手段は、
前記第１表示領域において、前記第１視野角からの可視画像と前記第２視野角からの可視画像とが実質的に同じ画像となるように表示する第１表示領域表示制御手段と、
前記第２表示領域において、前記演出パターン決定手段により決定された演出パターンが特定の演出パターンであるときに、正面視では視認できないものの、前記第１視野角から前記表示領域を見たときには視認できる隠れ演出を、表示できるように、前記第２視野角からの可視画像とは異なる異画像を、前記第１視野角からの可視画像として表示する第２表示領域表示制御手段と、を有する
ことを特徴とする遊技機。
【請求項２】
遊技領域に打ち込まれた遊技球を受け入れ可能な始動口と、
前記始動口への遊技球の受け入れに基づいて乱数を取得する乱数取得手段と、
をさらに備え、
前記抽選手段は、
前記始動口への遊技球の受け入れに基づいて取得された乱数に基づいて、前記抽選を行うものである
請求項１に記載の遊技機。
【請求項３】
開閉動作可能な大入賞口と、
前記抽選手段による抽選の結果が当たりであることに基づいて、前記大入賞口を開閉動作させることで大当たり遊技を行う大当たり処理実行手段と、
をさらに備える
請求項１または２に記載の遊技機。
【発明の詳細な説明】
【技術分野】
【０００１】
本発明は、ぱちんこ遊技機（一般的に「パチンコ機」とも称する）や回胴式遊技機（一般に「パチスロ機」とも称する）等の遊技機に関するものであり、とくに表示装置を用いて抽選に関する演出表示を行わせる遊技機に関するものである。
【背景技術】
【０００２】
従来、遊技盤に表示装置を備え、数字や記号等の装飾図柄からなる図柄列を表示させるようにした遊技機が知られている。この種の遊技機では、遊技状態が所定の条件を満たすと、表示装置において図柄列が変動表示すると共に、抽選結果に基づいてその図柄列が所定の組み合わせで停止する。
【０００３】
また、図柄列の変動が停止する前に、表示装置にキャラクタ等を出現させ特殊な演出を行う遊技機もある。このような特殊な演出は、有利遊技状態（例えば大当たり）への予告表示として所定の確率で実行されている。これにより、各変動毎に得られる期待感にメリハリが付き、抽選への期待感が高められる。
【０００４】
従来、このような特殊な演出は二次元画像によって行われていたが、画像自体が平面的であり、臨場感がなく、バリエーションに富んだ演出を行うことができなかった。従って、興趣を高めた演出を行うには限界があった。
【０００５】
このような課題を解決するために、表示装置の前方に立体画像表示板を備えることによって、より強い装飾効果を遊技者に訴えることによって演出による興趣を高めた遊技機が開示されている（例えば特許文献１）。
【０００６】
ところが、表示装置に表示された立体画像を長時間見ていると、遊技者にとって肉体的な負担が大きい。これは、立体画像の表示に「両眼視差法」が採用されているからである。この「両眼視差法」は、左右の眼で異なる画像をみることで立体的に見えるという原理を利用したものであり、通常とは異なる方法で表示装置を見る必要がある。
【０００７】
そこで、通常時は平面画像を表示し、所謂リーチ状態時など特殊な状態時に立体画像を表示することによって、遊技者の眼に与える肉体的な負担を軽減した遊技機が開示されている（例えば特許文献２）。
【０００８】
【特許文献１】特開平８−８４８３５号
【特許文献２】特開２００２−１１９６８７号
【発明の開示】
【発明が解決しようとする課題】
【０００９】
ところが、立体画像と平面画像とを切り換えるとき、遊技者は、眼のピントを切り換える必要がある。これを繰返し行っていると、遊技者の眼のピントを変える機能に悪影響を及ぼしてしまい、遊技者の眼に与える肉体的な負担は依然として大きい。その結果、遊技の興趣を低下させてしまう問題があった。
【００１０】
本発明は、上記課題に鑑みてなされたものであって、遊技者の眼に与える肉体的な負担を軽減しつつ、バリエーションに富んだ演出を行うことによって遊技の興趣の低下を抑制する事が可能な遊技機を提供することを主たる目的とする。
【課題を解決するための手段】
【００１１】
上記課題を解決するための請求項１に記載の遊技機は、遊技に伴う演出が表示され、第１視野角からの可視画像と第２視野角からの可視画像とを表示可能な表示領域を有する表示手段と、前記表示領域に表示される複数の演出パターンを記憶する演出パターン記憶手段と、前記演出パターン記憶手段に記憶される複数の演出パターンに対応する画像を記憶する画像記憶手段と、遊技状態を検出する遊技状態検出手段と、前記遊技状態検出手段によって検出された遊技状態に基づいて抽選を行う抽選手段と、前記抽選結果に基づいて前記演出パターン記憶手段に記憶された複数の演出パターンのなかから前記表示領域にて表示される演出パターンを決定する演出パターン決定手段と、前記演出パターン決定手段によって決定された演出パターンに対応する画像を、前記画像記憶手段から読み出して前記表示手段にて表示されるように制御する表示制御手段と、を備え、前記表示領域は、遊技領域の略中央部を含む位置に位置し、正面視において前記第１視野角からの可視画像と前記第２視野角からの可視画像との両方を視認できる第１表示領域と、前記第１表示領域に隣接する位置に位置し、正面視において前記第１視野角からの可視画像は視認できないものの前記第２視野角からの可視画像を視認できる第２表示領域と、を少なくとも有し、前記表示制御手段は、前記第１表示領域において、前記第１視野角からの可視画像と前記第２視野角からの可視画像とが実質的に同じ画像となるように表示する第１表示領域表示制御手段と、前記第２表示領域において、前記演出パターン決定手段により決定された演出パターンが特定の演出パターンであるときに、正面視では視認できないものの、前記第１視野角から前記表示領域を見たときには視認できる隠れ演出を、表示できるように、前記第２視野角からの可視画像とは異なる異画像を、前記第１視野角からの可視画像として表示する第２表示領域表示制御手段と、を有することを要旨とするものである。
請求項２に記載の遊技機は、請求項１に記載の遊技機において、遊技領域に打ち込まれた遊技球を受け入れ可能な始動口と、前記始動口への遊技球の受け入れに基づいて乱数を取得する乱数取得手段と、をさらに備え、前記抽選手段は、前記始動口への遊技球の受け入れに基づいて取得された乱数に基づいて、前記抽選を行うことを要旨とするものである。
請求項３に記載の遊技機は、請求項１または２に記載の遊技機において、開閉動作可能な大入賞口と、前記抽選手段による抽選の結果が当たりであることに基づいて、前記大入賞口を開閉動作させることで大当たり遊技を行う大当たり処理実行手段と、をさらに備えることを要旨とするものである。
【００１２】
［手段１］
「遊技に伴う演出が表示され、第１視野角からの可視画像と第２視野角からの可視画像とを表示可能な表示装置と、
前記表示装置に表示される複数の演出パターンを記憶する演出パターン記憶手段と、
前記演出パターン記憶手段に記憶される複数の演出パターンに対応する画像を記憶する画像記憶手段と、
遊技状態を検出する遊技状態検出手段と、
前記遊技状態検出手段によって検出された遊技状態に基づいて抽選を行う抽選手段と、
前記抽選結果に基づいて前記演出パターン記憶手段に記憶された複数の演出パターンのなかから表示装置に表示する演出パターンを決定する演出パターン決定手段と、
前記演出パターン決定手段によって決定された演出パターンに対応する画像を、前記画像記憶手段から読出して表示装置に表示制御する表示制御手段と、を備え、
前記表示装置が、遊技盤の略中央部を含む位置に位置する第１表示領域と、前記第１表示領域に隣接する第２表示領域とを少なくとも含み、
前記表示制御手段が、第１表示領域における第１視野角からの可視画像と第２視野角からの可視画像とが実質的に同じ画像であると共に第２表示領域における第１視野角からの可視画像と第２視野角からの可視画像とが互いに異なると画像となるように表示制御可能に構成されていることを特徴とする遊技機」である。
【００１３】
ここで、「実質的に同じ画像」とは、遊技者が同じ画像であると認識できる程度の画像であることを意味する。即ち、二つの画像をデータとして記憶する場合に、両データが全く同一であることのみを意味するのではなく、両データに多少の相違があったとしても、遊技者が同じ画像であると認識できればよい。なお、以下、この明細書において同様である。
また、「遊技盤の略中央部を含む位置に位置する第１表示領域」とは、「遊技盤の略中央部を含む位置に形成された第１表示領域」または「遊技盤の略中央部を含む位置に設けられた第１表示領域」を意味する。以下、この明細書において同様である。

【００１４】
手段１の構成によれば、遊技状態の変化が遊技状態検出手段によって検出され、遊技状態が所定の条件を満たすと、抽選手段による抽選が行われる。そして、抽選結果に基づいて演出パターンが決定され、その演出パターンに対応する画像が表示装置に表示される。第１表示領域においては、第１視野角からの可視画像と第２視野角からの可視画像とが実質的に同じ画像の表示が可能である。第２表示領域においては、第１視野角からの可視画像と第２視野角からの可視画像とが互いに異なる画像の表示が可能である。
【００１５】
従って、遊技者が、正面から表示装置をみた場合と斜め方向から表示装置みた場合とで、異なる画像を視認できる。即ち、第２表示領域において、遊技者が正面から表示装置をみている場合には視認できない「隠れ演出」を行うことができる。この隠れ演出を行うことによって、バリエーションに富んだ演出を行うことができる。また、三次元演出を行うこともないので、遊技者の眼に与える肉体的な負担を軽減しつつ、興趣を高めた遊技機を提供することができる。とくに、「今、隠れ演出が行われているのではないか」といった興味を遊技者に抱かせることができるので、遊技者の興趣を高める効果は大きい。
【００１６】
例えば、第２表示領域についての第１視野角からの可視画像を適宜変更、即ち、隠れ演出を行ったり隠れ演出を停止したりすることによって、隠れ演出に対する遊技者の興味がより一層高まる。具体的には、「バックミラーには背景が映っているのみ」の画像と、「バックミラーには背景のみでなくバイクに乗ったキャラクタも映っている」の画像とに適宜変更することができる。
【００１７】
なお、「キャラクタ」とは、装飾図柄列および背景以外の画像を意味しており、小説・漫画・映画・演劇などの登場人物、動物、植物またはこの遊技機のために作成された仮想上の人物、動物、もしくは植物等を例示することができる。
【００１８】
［手段２］
「遊技に伴う演出が表示され、第１視野角からの可視画像と第２視野角からの可視画像とを表示可能な表示装置と、
前記表示装置に表示される複数の演出パターンを記憶する演出パターン記憶手段と、
前記演出パターン記憶手段に記憶される複数の演出パターンに対応する画像を記憶する画像記憶手段と、
遊技状態を検出する遊技状態検出手段と、
前記遊技状態検出手段によって検出された遊技状態に基づいて抽選を行う抽選手段と、  前記抽選結果に基づいて前記演出パターン記憶手段に記憶された複数の演出パターンのなかから表示装置に表示する演出パターンを決定する演出パターン決定手段と、
前記演出パターン決定手段によって決定された演出パターンに対応する画像を、前記画像記憶手段から読出して表示装置に表示制御する表示制御手段と、を備え、
前記表示装置が、遊技盤の略中央部を含む位置に位置する第１表示領域と、前記第１表示領域に隣接すると共に端部に位置する第２表示領域とを少なくとも含み、
前記表示制御手段が、第１表示領域における第１視野角からの可視画像と第２視野角からの可視画像とが実質的に同じ画像であると共に第２表示領域における第１視野角からの可視画像と第２視野角からの可視画像とが互いに異なると画像となるように表示制御可能に構成されていることを特徴とする遊技機」である。
【００１９】
ここで、「端部に位置する第２表示領域」とは、「端部に形成された第２表示領域」または「端部に設けられた第２表示領域」を意味する。以下、この明細書において同様である。
【００２０】
手段２の構成によれば、手段１と同様に、遊技状態の変化が遊技状態検出手段によって検出され、遊技状態が所定の条件を満たすと、抽選手段による抽選が行われる。そして、抽選結果に基づいて演出パターンが決定され、その演出パターンに対応する画像が表示装置に表示される。第１表示領域においては、第１視野角からの可視画像と第２視野角からの可視画像とが実質的に同じ画像の表示が可能である。第２表示領域においては、第１視野角からの可視画像と第２視野角からの可視画像とが互いに異なる画像の表示が可能である。なお、第２表示領域は、表示装置の端部に位置している。
【００２１】
従って、遊技者が、正面から表示装置をみた場合と端部から表示装置みた場合とで、異なる画像を視認できる。即ち、第２表示領域において、遊技者が端部から表示装置をみた場合にのみ視認できる「隠れ演出」を行うことができる。この隠れ演出を行うことによって、バリエーションに富んだ演出を行うことができる。また、三次元演出を行うこともないので、遊技者の眼に与える肉体的な負担を軽減しつつ、興趣を高めた遊技機を提供することができる。とくに、「今、隠れ演出が行われているのではないか」といった興味を遊技者に抱かせることができるので、遊技者の興趣を高める効果は大きい。
【００２２】
［手段３］
「操作ハンドルの操作に応じて遊技領域へ遊技球を発射する発射装置と、
前記遊技領域内に配置され前記遊技球の転動方向を変化させる障害釘と、
前記遊技領域内に配置され前記遊技球が入球可能な始動口と、
該始動口に前記遊技球が入球したことを検出する入球状態検出手段と、
少なくとも前記入球状態検出手段による遊技球の検出に応じて所定数の遊技球を払い出す払出装置と、
遊技に伴う演出が表示され、第１視野角からの可視画像と第２視野角からの可視画像とを表示可能な表示装置と、
前記表示装置に表示される複数の演出パターンを記憶する演出パターン記憶手段と、
前記演出パターン記憶手段に記憶される複数の演出パターンに対応する画像を記憶する画像記憶手段と、
前記入球状態検出手段によって遊技球が入球したことが検出されたことに基づいて抽選を行う抽選手段と、
前記抽選手段の抽選結果が所定の結果であるとき、遊技者に有利な有利遊技状態を発生させる有利遊技状態発生手段と、
前記抽選結果に基づいて前記演出パターン記憶手段に記憶された複数の演出パターンのなかから表示装置に表示する演出パターンを決定する演出パターン決定手段と、
前記パターン決定手段によって決定された演出パターンに対応する画像を、前記画像記憶手段から読出して表示装置に表示制御する表示制御手段と、を備え、
前記表示装置が、遊技盤の略中央部を含む位置に位置する第１表示領域と、前記第１表示領域に隣接すると共に端部に位置する第２表示領域とを少なくとも含み、
前記表示制御手段が、第１表示領域における第１視野角からの可視画像と第２視野角からの可視画像とが実質的に同じ画像であると共に第２表示領域における第１視野角からの可視画像と第２視野角からの可視画像とが互いに異なると画像となるように表示制御可能に構成されていることを特徴とする遊技機」である。
【００２３】
ここで、「有利遊技状態」とは、通常の遊技状態よりも遊技者に有利となる状態を意味するものであり、パチンコ機等の遊技機においては、「大当たり状態」、「確率変動状態」、「時間短縮状態」等が例示される。パチスロ機等の遊技機においては、「ボーナスゲーム状態」、「ボーナス成立状態」、「アシストゲーム状態」、「確率変動状態」等が該当する。
【００２４】
パチンコ機等の遊技機における「大当たり状態」とは、開閉駆動される入賞口を、所定回数繰返し開閉させたり、所定時間、あるいは遊技球が所定個数入賞するまで継続して開放させて、遊技球が多量に入賞口に入賞し易くした状態をいう。
【００２５】
パチンコ機等の遊技機における「確率変動状態」とは、大当たり状態が発生する確率を通常よりも高確率とした状態をいう。
【００２６】
パチンコ機等の遊技機における「時間短縮状態」とは、遊技球の入賞や通過により大当たり状態を発生させるか否かの抽選を行う抽選用の入球装置を、通常よりも遊技球が入球し易い状態とし、大当たりの抽選が通常よりも頻繁に行われるようにした状態をいう。
【００２７】
パチスロ機等の遊技機における「ボーナスゲーム状態」とは、所定ゲームの間、遊技媒体であるメダルの払出しを行う図柄にてドラムが停止され易くした状態をいう。
【００２８】
パチスロ機等の遊技機における「ボーナス成立状態」とは、次回以降のゲーム状態をボーナスゲーム状態にさせるための条件であるボーナス絵柄にてドラムを停止可能とした状態をいう。
【００２９】
パチスロ機等の遊技機における「アシストゲーム状態」とは、所定ゲームの間、役を成立させるためのドラムの停止順序や図柄を案内する等して、役の成立を手助けする状態をいう。
【００３０】
パチスロ機等の遊技機における「確率変動状態」とは、ボーナスゲーム状態、ボーナス成立状態、アシストゲーム状態等の特典状態が発生する確率を通常よりも高確率とした状態をいう。
【００３１】
ただし、上記した有利遊技状態はあくまでも例示にすぎず、上記説明した状態に限定されるものではない。
【００３２】
手段３の構成によれば、操作ハンドルの操作に対応して発射装置から遊技球が発射されると、遊技球は、多数の障害釘、始動口および表示装置等が組み込まれた遊技領域に導かれる。そして、入球状態検出手段によって始動口への入球が検出されると、抽選手段によって抽選が行われる。そして、抽選結果が所定結果の場合には、遊技者に有利な有利遊技状態が発生する。例えば、開閉駆動される大入賞口を、所定回数繰返し開閉させたり、所定時間、あるいは遊技球が所定個数入賞するまで継続して開放させて、遊技球が多量に大入賞口に入賞し易くする。なお、遊技球が始動口または大入賞口に入球すると、払出装置によって所定数の遊技球が賞球として払い出される。また、遊技球が始動口に入球したことが検出されると、抽選手段による抽選が行われる。そして、抽選結果に基づいて演出パターンが決定され、その演出パターンに対応する画像が表示装置に表示される。第１表示領域においては、第１視野角からの可視画像と第２視野角からの可視画像とが実質的に同じ画像の表示が可能である。第２表示領域においては、第１視野角からの可視画像と第２視野角からの可視画像とが互いに異なる画像の表示が可能である。
【００３３】
従って、手段１および手段２と同様に、第２表示領域において、遊技者が正面から表示装置をみている場合には視認できない「隠れ演出」を行うことができる。この隠れ演出を行うことによって、バリエーションに富んだ演出を行うことができる。従って、三次元演出を行うこともないので、遊技者の眼に与える肉体的な負担を軽減しつつ、興趣を高めた遊技機を提供することができる。
【００３４】
また、遊技球が多量に大入賞口に入賞し易い態様と関連付けた隠れ演出を行うことが可能となるので、より一層、隠れ演出に対する興趣を高めることができる。例えば、大入賞口に入賞し易い態様が発生するかもしれないといった予告として隠れ演出を行うことによって、遊技者興趣を高めることができる。
【００３５】
［手段４］
「表示装置に表示される画像に対して遊技者の意思を反映させることが可能な意思反映手段と、
前記演出パターン決定手段によって決定された演出パターンの一部または全部を、他の演出パターンに書き換える演出パターン書換手段と、をさらに備え、
前記演出パターン書換手段が、前記意思反映手段から入力された遊技者の意思に基づいて前記演出パターンを書き換えると共に、
前記演出表示制御手段が、書き換えられた演出パターンに対応する画像を、前記演出画像記憶手段から読出して表示装置に表示制御することを特徴とする手段１〜手段３のいずれか一つに記載の遊技機」である。
【００３６】
ここで、「意思反映手段」とは、ボタンまたはレバー等、遊技者の意思によって操作できる手段のみならず、遊技者の音声を受け付けることによって遊技者意思を反映できるものも含む。
【００３７】
手段４の構成によれば、演出パターン決定手段によって決定された演出パターンの一部または全部を、遊技者の意思によって他の演出パターンに書き換えることができる。そして、書き換えられた演出パターンに基づいて表示制御される。これにより、遊技者の興趣をさらに高めることができる。とくに、隠れ演出と選択すべき選択肢とを関連付ければ、バリエーションに富んだ演出が可能となる。例えば、隠れ演出で行われた演出を遊技者に質問し、その質問に対して遊技者が自らの意思で回答する態様が考えられる。
【００３８】
［手段５］
「前記複数の演出パターンには、第１演出および選択演出の順で行われる演出パターンが含まれており、
前記表示制御手段が、第２表示領域における第１視野角からの可視画像と第２視野角からの可視画像とが異なる画像を第１演出において表示制御したのちに、前記第２表示領域における第１視野角からの可視画像に関連する選択肢を含む二以上の選択肢のうち、少なくとも一つの選択肢の選択を促す選択画像を選択演出において表示制御すると共に、
前記意思反映手段が、前記選択演出を行っている時間を含む所定時間内に、前記二以上の選択肢のうち少なくとも一つの選択肢の入力を可能とすることを特徴とする手段４に記載の遊技機」である。
【００３９】
手段５の構成によれば、第１演出において隠れ演出が行われたとき、第１演出ののちに選択演出が行われる。この選択演出において表示制御される二以上の選択肢には、隠れ演出に関連する選択肢が含まれている。そして、選択演出が行われているときに、意思反映手段によっていずれかの選択肢を選択することができる。これにより、第１演出において隠れ演出をみた遊技者は優越感に浸ることができる一方で、隠れ演出隠れ演出をみなかった遊技者は非常に残念な気持ちにかられる。従って、第１演出と選択演出とを関連付けて楽しむことができ、より一層、興趣を高めることができる。
【００４０】
［手段６］
「前記複数の演出パターンには、第１演出、選択演出および第２演出の順で行われる演出パターンが含まれていると共に、
前記画像記憶手段には、複数の第２演出パターンに対応する画像が記憶されており、
前記演出パターン書換手段は、前記所定時間内に入力された選択肢が前記第２表示領域における第１視野角からの可視画像に関連する選択肢であったとき、前記演出パターン決定手段によって決定された第２演出パターンとは異なる他の第２演出パターンに書き換えることを特徴とする手段５に記載の遊技機」である。
【００４１】
手段６の構成によれば、第１演出、選択演出および第２演出の順で演出が行われたとき、選択演出において表示制御される選択画像には、隠れ演出に関連する選択肢が含まれている。そして、隠れ演出に関連する選択肢を選択すると、第２演出の書き換えが行われる。これにより、遊技者は、第１演出において隠れ演出が行われているかどうかということに興味をそそられる。とくに、隠れ演出に関連する選択肢を選択したときに第２演出の書き換えが行われる場合には、第２演出が書き換えられるかもしれないといったより一層の興趣を、遊技者に与えることができる。従って、遊技者に対して常に興趣を与え続けることができる。
【００４２】
［手段７］
「前記表示装置が、前記第１表示領域に隣接していると共に前記第２表示領域が位置する側とは異なる側に位置する第３表示領域をさらに含み、
前記表示制御手段が、第１表示領域における第１視野角からの可視画像と第２視野角からの可視画像とが実質的に同じ画像であると共に第３表示領域における第１視野角からの可視画像と第２視野角からの可視画像とが互いに異なる画像となるように、表示制御可能に構成されていることを特徴とする手段１〜手段６のいずれか一つに記載の遊技機」である。
【００４３】
ここで、「第２表示領域が位置する側とは異なる側に位置する第３表示領域」とは、「第２表示領域が位置する側とは異なる側に形成された第３表示領域」または「第２表示領域が位置する側とは異なる側に設けられた第３表示領域」を意味する。以下、この明細書において同様である。
【００４４】
手段７の構成によれば、表示装置の第３表示領域には、第１視野角から第３表示領域をみた画像と第２視野角から第３表示領域をみた画像とで異なる画像が表示される。これにより、第２表示領域のみならず第３表示領域においても隠れ演出を行うことができる。従って、演出のバリエーションが増え、その分、遊技者の興趣を高めることができる。
【００４５】
また、第２表示領域および第３表示領域で隠れ演出を行うことができることによって、隠れ演出に関連する選択肢を含む選択画像が表示される選択演出においては、選択肢の数を増やしたりすることができ、さらに、遊技者の興趣を高めることができる。
【００４６】
［手段８］
「前記第１表示領域、前記第２表示領域および前記第３表示領域が水平方向に実質的に平行な方向に隣接していると共に、
前記各表示領域に表示される画像が連続的であることを特徴とする手段７に記載の遊技機」である。
【００４７】
「水平方向に実質的に平行な方向」とは、遊技者が認識できる程度に平行であることを意味する。また、「各表示領域に表示される画像が連続的である」とは、各領域の境界部が遊技者によって認識できるものではないことを意味する。
【００４８】
手段８の構成によれば、第２表示領域が遊技盤の略中央部を含む位置に位置する。そして、第１表示領域および第３表示領域が、第２表示領域を水平方向に両側から挟む位置の端部に、第２表示領域に隣接して位置する。しかも、各領域は、連続的に位置している。  
【００４９】
従って、遊技者が体を左右に動かすことによって隠れ演出を視認することができる。とくに、左右方向への体の移動は、例えば上下方向への体の移動と比べると容易である。また、三次元演出のような視覚に訴える演出のみでなく、体を使うことによって初めて隠れ演出をみることができるので、より一層、遊技者の興趣を高めることができる。しかも、各表示領域に表示される画像が連続的なので、各表示領域間の境界部を認識できない。これにより、従来の演出表示装置と同様の感覚で画像を視認することができる。
【００５０】
［手段９］
「前記第２表示領域の水平方向の幅が、６５ｍｍを超える長さであることを特徴とする手段８に記載の遊技機」である。
【００５１】
手段９の構成によれば、第２表示領域の水平方向の幅が、６５ｍｍを超える長さである。人間即ち遊技者の両目の間隔は平均で６５ｍｍであるといわれていることから、第２表示領域の水平方向の幅を６５ｍｍを超える長さとすることによって、多くの遊技者が隠れ演出を実感できる。
【００５２】
［手段１０］
「前記第２演出パターンには、遊技者の興趣を高める高興趣演出パターンと、前記高興趣演出パターンよりも遊技者興趣が低い低興趣演出パターンとが少なくとも含まれており、  前記演出パターン書換手段が、前記意思反映手段によって選択された選択肢に基づいて、前記演出パターン決定手段によって決定された前記第２演出パターンを、高興趣演出パターンに書き換えることを特徴とする手段４〜手段９のいずれか一つに記載の遊技機」である。
【００５３】
手段１０の構成によれば、遊技者が選択した選択肢に基づいて、演出パターン決定手段によって決定された第２演出パターンが高興趣演出パターンに書き換えられる。これにより、遊技者が選択した選択肢如何によって、第２演出が高興趣演出パターンに基づいて行われる。従って、第１演出、選択演出および第２演出を一連の演出として楽しむことができる。とくに、隠れ演出が、最も早い段階の第１演出で行われるので、一連の演出の早い段階（即ち第１演出）から最後（即ち第２演出）まで興味を持って楽しむことができる。  
【００５４】
［手段１１］
「前記第１表示領域における第１視野角からの可視画像は、前記選択演出が表示制御されたときにいずれの選択肢を選択すると、前記演出パターン書換手段によって第２演出が書き換えられるのかを予測させる画像であることを特徴とする手段１０に記載の遊技機」である。
【００５５】
手段１１の構成によれば、第１演出が表示されているとき、隠れ演出をみることによって、高確率で、第２演出を高興趣演出パターンに書き換えることができる。
【００５６】
とくに、表示装置が、第１表示領域のみでなく第３表示領域も有している場合には、第１表示領域および第３表示領域の両領域を確認する必要がある。従って、時間的な制約等によって、いずれか一方の領域のみしか確認できなかった場合、隠れ演出をみることができない可能性もある。これにより、よりスリリングな隠れ演出を遊技者に与えることができる。
【００５７】
［手段１２］
「前記選択演出の開始に応じて所定の時間を計時するタイマをさらに備え、
前記表示制御手段が、前記タイマによって計時される所定の時間内に意思反映手段によっていずれの選択肢も選択されなかったとき、低興趣演出の第２演出を表示制御することを特徴とする手段４〜手段１０のいずれか一つに記載の遊技機」である。
【００５８】
手段１２の構成によれば、選択画像が表示されたとき、所定の時間が計時される。ここで、「所定の時間」とは、遊技者が意思反映手段によっていずれかの選択肢を選択するために与えられた時間である。このように時間を制限するのは、次の演出、即ち第２演出に進む必要があるからである。そして、この所定の時間内にいずれの選択肢も選択されなかったとき、低興趣演出の第２演出が行われる。これによって、遊技者は、選択演出においていずれかの選択肢を選択しようとする意識が向上し、より多くの遊技者に遊技を楽しんでもらうことができる。
【００５９】
［手段１３］
「前記選択演出では、前記表示装置の各表示領域に対応する選択肢の選択を促す画像が表示制御されており、
前記演出パターン書換手段が、前記第１表示領域において第１視野角からの可視画像と第２視野角からの可視画像とが異なる場合であって且つ前記第１表示領域に対応する選択肢を選択したとき、または前記第３表示領域において第１視野角からの可視画像と第２視野角からの可視画像とが異なる場合であって且つ前記第３表示領域に対応する選択肢を選択したときには、演出パターン決定手段によって決定された第２演出を、高興趣演出パターンに書き換えることを特徴とする手段４〜手段１１のいずれか一つに記載の遊技機」である。
【００６０】
ここで、「各表示領域に対応する選択肢」とは、各表示領域と１対１で対応付けられた選択肢を意味する。例えば、第１表示領域に対応する選択肢が「第１」または「左方向」といった選択肢が相当する。
【００６１】
手段１３の構成によれば、選択演出において、隠れ演出が行われた表示領域に対応する選択肢を選択したとき、第２演出が高興趣演出に書き換えられる。とくに、遊技者からみて、例えば第１表示領域が左側、第３表示領域が右側に、それぞれ位置しているとき、選択画像には、右および左のいずれかの選択を促す選択肢が表示される。そして、隠れ演出が行われた表示領域の側、即ち、第１表示領域であれば左、第３表示領域であれば右を選択することによって、第２演出が高興趣演出パターンに書き換えられる。このようにすることによって、選択画像が表示されたとき、右または左の選択を誤る可能性が低くなる。従って、折角隠れ演出をみていたにもかかわらず、自らの意思に反した操作、即ち、誤った操作を防止することができる。
【００６２】
［手段１４］
「前記表示装置に複数の装飾図柄列を変動させると共に、前記抽選手段の抽選結果に基づいて前記装飾図柄を所定の図柄列で停止させる装飾図柄変動制御手段をさらに備え、
前記第１演出パターンに対応する第１画像が、前記複数の装飾図柄列のうち最後に停止される最終停止図柄が停止する前の段階で、既に停止している装飾図柄列における停止図柄の組合せが、特定の組合せを充足する状態（所謂「リーチ状態」）になる前の段階で表示されるであることを特徴とする手段１〜手段１２のいずれか一つに記載の遊技機」である。
【００６３】
手段１４の構成によれば、表示手段では、複数の装飾図柄列が変動表示されると共に、抽選手段の抽選結果に基づいて所定の図柄で停止される。ここで、複数の装飾図柄列のうち最後に停止される最終停止図柄が停止する前の段階で、既に停止している装飾図柄列における停止図柄の組合せが、特定の組合せを充足する場合がある。この状態が所謂リーチ状態である。そして、隠れ演出は、「リーチ状態」になる前の第１演出で行われる。このため、遊技者は、「リーチ状態」になる前であっても退屈感を感じるどころか、より一層の興味を抱いて表示装置の表示に集中することができる。しかも、隠れ演出が表示されたのちに選択画像が表示され、さらにその後、第２演出が表示されるので、これら一連の演出をみながら、抽選結果を楽しむことができる。
【発明の効果】
【００６４】
このように、本発明の遊技機では、遊技者が正面から遊技盤をみる限りにおいては、第１表示領域における第１視野角からの可視画像を視認できないので、第１表示領域における第１視野角からの可視画像において所謂「隠れ演出」を行うことができる。従って、三次元演出を行うこともないので、遊技者の眼に肉体的な負担を強いることなく、バリエーションに富んだ演出を行うことが可能となる。
【発明を実施するための最良の形態】
【００６５】
以下、本発明の一実施形態であるパチンコ遊技機（以下、単に「パチンコ機」と称する。）を、各図を参照しつつ説明する。
【００６６】
［パチンコ機の全体構成］
図１を参照しつつ説明する。図１は、パチンコ機の外枠の一側に本体枠が開かれその本体枠の一側に前面枠が開かれた状態を示す斜視図である。なお、図１では、遊技領域３７における装飾部材が省略されている。
【００６７】
パチンコ機１は、外枠２、本体枠３、前面枠４および遊技盤５等を備えて構成されている。外枠２は、上下左右の木製の枠材によって縦長四角形の枠状に形成され、同外枠２の前側下部には、本体枠３の下面を受ける下受板６を有している。外枠２の全面の片側には、ヒンジ機構７によって本体枠３が前方に開閉自在に装着されている。なお、外枠２は、樹脂やアルミニウム等の軽金属によって形成されていてもよい。
【００６８】
［本体枠の構成］
図２および図４を参照しつつ説明する。図２は、パチンコ機１の前側全体を示す正面図であり、図４は、パチンコ機１の本体枠３と遊技盤５とを分離して斜め右上前方から示す斜視図である。
【００６９】
本体枠３は、前枠体１１、遊技盤装着枠１２および機構装着体１３を合成樹脂等によって一体成形することで構成されている。本体枠３の前枠体１１は、外枠２（図１参照）の前側の下受板６を除く外郭形状に対応する大きさの矩形枠状に形成されている。前枠体１１の片側の上下部には、本体枠側ヒンジ具１５が固定されており、外枠２の片側の上下部に固定された外枠側ヒンジ具１４に対してヒンジピンおよびヒンジ孔によって開閉回動自在に装着されている。即ち、外枠側ヒンジ具１４、本体枠側ヒンジ具１５、ヒンジピンおよびヒンジ孔によってヒンジ機構７が構成されている。
【００７０】
前枠体１１の前側において、遊技盤装着枠１２よりも下方に位置する前枠体１１の前下部左側領域にはスピーカボックス部１６が一体に形成され、そのスピーカボックス部１６の前側開口部には、同開口部を塞ぐようにしてスピーカ装着版１７が装着されている。そして、スピーカ装着盤にはスピーカ１８が装着されている。
【００７１】
前枠体１１全面の下部領域内において、その上半部分には発射レール１９が傾斜状に装着されている。また、前枠体１１前面の下部領域内の下半部分には下部前面板３０が装着されている。そして、下部前面板３０の前面の略中央部には、遊技球を貯留可能な下皿３１が設けられ、右側寄りには操作ハンドル３２が設けられ、左側寄りには灰皿３３が設けられている。なお、下皿３１には、遊技球を下方に排出するための球排出レバー３４が配設されている。
【００７２】
［前面枠の構成］
図１および図２を参照しつつ説明する。前枠体１１の前面の片側には、その前枠体１１の上端から下部前面板３０の上縁にわたる部分を覆うようにして、前面枠４がヒンジ機構３６によって前方に開閉可能に装着されている。
【００７３】
前面枠４の略中央部には、遊技盤５の遊技領域３７を前方から透視可能な略円形の開口窓３８が形成されている。前面枠４の後側には開口窓３８よりも大きな矩形枠状をなす窓枠３９が設けられ、その窓枠３９にはガラス板、透明樹脂板等の透明板５０が装着されている。前面枠４の前面の略全体は、ランプ等が内設された前面装飾部材によって装飾され、同前面枠４の前面の下部には上皿５１が形成されている。詳しくは、開口窓３８の周囲において、左右両側部にサイド装飾装置５２が、下部に上皿５１が、上部に音響電飾装置５３が、それぞれ装着されている。
【００７４】
サイド装飾装置５２は、ランプ基板が内部に配置され且つ合成樹脂材によって形成されたサイド装飾体５４を主体として構成されている。サイド装飾体５４には、横方向に長いスリット状の開口孔が上下方向に複数配列されており、この開口孔には、ランプ基板に配置された光源に対応するレンズ５５が組み込まれている、音響電飾装置５３は、透明カバー体５６、スピーカ５７、スピーカカバー５８およびリフレクタ体（図示せず）等を備え、これらの構成部材が相互に組み付けられてユニット化されている。
【００７５】
また、上皿５１の紙面左側には、押しボタン３５が設けられている。この押しボタン３５は、遊技者が自身が押下可能に構成されている。遊技者がこの押しボタン３５を押下すると、後述する演出表示装置１１５における演出表示に、遊技者の意思を反映することができる。なお、この押しボタン３５は、この発明の意思反映手段に相当する。なお、この押しボタン３５に代えて、レバーまたはスイッチであってもよい。また、遊技者の音声を受け付ける音声入力手段であってもよい。即ち、遊技者の意思を反映できるものであれば、遊技者が操作できる手段に限られない。
【００７６】
［施錠装置の構成］
図１および図４を参照しつつ説明する。前枠体１１のヒンジ機構３６に対して反対側となる自由端側の後側には、外枠２に対し本体枠３を施錠する機能と、本体枠３に対し前面枠４を施錠する機能とを兼ね備えた施錠装置７０が装着されている。
【００７７】
即ち、この実施形態において、施錠装置７０は、外枠２に設けられた閉止具７１に係脱自在に係合して本体枠３を閉じ状態に施錠する上下複数の本体枠施錠フック７２と、前面枠４の自由端側の後側に設けられた閉止具７３に係脱自在に係合して前面枠４を閉じ状態に施錠する上下複数の扉施錠フック７４と、パチンコ機１の前方から鍵が挿入されて解錠操作可能に、前枠体１１および下部前面板３０を貫通して露出されたシリンダー錠７５と、を備えている。そして、シリンダー錠７５の鍵穴に鍵が挿入されて一方向に回動操作されることで本体枠施錠フック７２と外枠２の閉止具７１との係合が外れて本体枠３が解錠され、これとは逆方向に回動操作されることで、扉施錠フック７４と前面枠４の閉止具７３との係合が外れて前面枠４が解錠されるようになっている。
【００７８】
［遊技盤装着枠および遊技盤の構成］
図１、図３、図４および図５を参照しつつ説明する。図３は、遊技領域３７の構成を示す拡大正面図であり、図５は、パチンコ機１の後側全体を示す背面図である。
【００７９】
図１および図４に示すように、本体枠３の遊技盤装着枠１２は、前枠体１１の後側に設けられかつ遊技盤５が前方から着脱交換可能に装着されるようになっている。
【００８０】
遊技盤５は、遊技盤装着枠１２の前方から嵌込まれる大きさの略四角板状に形成されている（図１１参照）。遊技盤５の盤面（前面）には、外レール７６と内レール７７とを備えた案内レール７８が設けられ、その案内レール７８の内側に遊技領域３７が区画形成されている。
【００８１】
なお、発射レール１９と案内レール７８との間には、所定の隙間が設けられており、発射された遊技球が案内レール７８を逆戻りした場合には、その遊技球は、その隙間から排出され、下皿３１に案内されるように構成されている。
【００８２】
また、遊技盤５の前面には、その案内レール７８の外側領域において、合成樹脂製の前構成部材７９が装着されている。
【００８３】
図３に示すように、遊技領域３７内には多数の障害釘（参照符号なし）が所定のゲージ配列をなして設けられているほか、その途中の適宜位置に風車９０が設けられている。遊技領域３７のほぼ中央位置には、センター役物９１のデザインによってパチンコ機１の機種やゲームコンセプト等が特徴付けられている。
【００８４】
センター役物９１は全体として額縁状の装飾体から構成されており、その上縁部にはキャラクタの頭部をデザインした、キャラクタ体９２が一体的に取り付けられている。なお、このキャラクタ体９２は、旋回可能な可動役物として機能している。
【００８５】
また、センター役物９１の上縁部または左右側縁部には、図示しないワープ入口とともにワープ通路が形成されており、遊技盤面に沿って流下する遊技球がワープ入口に入り込むと、ワープ通路を通じてセンター役物９１の内側に取り込まれるようになっている。
【００８６】
センター役物９１の内側には、その下縁部に球受け棚９４（ステージとも称する）が形成されており、この球受け棚９４は前後方向に一定の奥行きを有している。ワープ通路を通って取り込まれた遊技球はセンター役物９１の内側へ放出され、球受け棚９４に誘導される。球受け棚９４はその上面にて遊技球を転動させ、その動きにいろいろな変化を与えて遊技に面白みを付加する。
【００８７】
また、センター役物９１の下縁部には、その中央位置に球誘導路９５が形成されており、この球誘導路９５への入口（図示せず）は球受け棚９４の上面に形成されている。球受け棚９４から球誘導路９５の入口に落下した遊技球は、そのまま球誘導路９５を通って下方に案内される。
【００８８】
一方、球誘導路９５の出口は正面に向けて開口しており、この出口から放出された遊技球は、ほぼ真下に向かって落下する。遊技領域３７には、球誘導路９５の直ぐ下方位置に入球装置９６が配置されており、この入球装置９６に遊技球が入球すると始動入賞となる。従って、球誘導路９５から放出された遊技球は、相当高い確率で始動入賞することができるものとなっている。入球装置９６は左右一対の可動片９７を有しており、これら可動片９７を左右に拡開させて入球確率を高くすることが可能となっている。
【００８９】
また、遊技領域３７には、上記の入球装置９６のさらに下方位置にアタッカ装置９８が配設されており、このアタッカ装置９８は開閉部材９９を前後方向に開閉動作させることにより大入賞口を開閉させる。
【００９０】
また、センター役物９１の下縁部には、特別図柄表示器（詳細は後述する）として機能する四つのＬＥＤ１１０と、抽選の保留状態を示す四つのＬＥＤ（保留球ランプ）１１１とが設けられている。四つの保留球ランプ１１１は、「大当たり」の抽選において、保留回数分（最大４回）だけ点灯するようになっている。また、これらの下方には、始動ゲート口１１３への遊技球の通過による抽選結果を表示する普通図柄表示器１１２ａおよび抽選結果を表示する状態表示器１１２ｂ等が設けられている。
【００９１】
その他、遊技領域３７には始動ゲート口１１３や一般入賞口１１４等が配設されている。また、センター役物９１の内側には演出表示装置１１５が配設されており、この演出表示装置１１５では、例えば動画や映像等の画像或いは可動部材の動作等による演出表示が行われる。この演出表示装置１１５をみた場合における可視画像については後述する。
【００９２】
演出表示装置１１５の表示面はセンター役物９１（図３参照）の後側においてその開口窓３８（図２参照）に臨んで装着されており、センター役物９１（図３参照）の後部および演出表示装置１１５の表示装置制御基板１１６（図１０参照）を有する表示装置制御基板ボックス１１７は遊技盤５の後側に突出して配設されている。
【００９３】
一方、図５に示すように、遊技盤５の後側下部には、その中央部から下部にわたる部分において、各種入賞装置に流入した遊技球を受けかつその遊技球を所定位置まで導く集合樋としての機能とボックス装着部としての機能を兼ね備えたボックス装着台１１８が設けられている。
【００９４】
ボックス装着台１１８には、音声制御基板、ランプ制御基板等の副制御基板１１９が収納された副制御基板ボックス１３０が装着され、その副制御基板ボックス１３０の後側に重ね合わされた状態で、主制御基板１３１が収納された主制御基板ボックス１３２が装着されている。
【００９５】
さらに、遊技盤５の後側に対しボックス装着台１１８、副制御基板ボックス１３０および主制御基板ボックス１３２がそれぞれ装着された状態において、本体枠３の遊技盤装着枠１２の前方から遊技盤５を嵌込んで装着できるように、遊技盤５の外郭より外側にはみ出すことなくボックス装着台１１８、副制御基板ボックス１３０および主制御基板ボックス１３２が配置されている。
【００９６】
［演出表示装置をみた場合における可視画像について］
図１２および図１３を参照しつつ説明する。ここで、図１２は、演出表示装置１１５の平面図であって、演出表示装置１１５の表示面を、この表示面に対して、紙面左側（以下、「第１視野角」と称する。）からおよび紙面右側（以下、「第２視野角」と称する。）から見ている概念図である。図１３は、演出表示装置１１５の平面図であって、正面から演出表示装置１１５の表示面をみた場合に視認できる画像を説明するための概念図である。
【００９７】
この実施形態で用いられている演出表示装置１１５は、後方からの光を左右に分離させることによって、互いに異なる画像を、視野角が異なる２方向にそれぞれ表示可能としたものである。従来の三次元液晶では、視差バリアを利用して、左右の目に対して約６度の角度で画像を分離していたが、この演出表示装置１１５では、分離角度を４０度以上に広げ、さらにピクセルの配置位置の最適化などにより２方向への表示を実現したものである。この２方向に表示される画像を互いに異なる画像とすれば、演出表示装置１１５をみる角度を変えることによって異なる画像を視認できる。
【００９８】
なお、この演出表示装置１１５は、一つの表示面で互いに異なる２画像を同時に表示することができるが、この２画像を実質的に同じ画像とすることによって、従来の液晶表示器のような表示を行うこともできる。
【００９９】
図１２において、第１視野角から演出表示装置１１５の表示面をみた場合に視認できる画像（第１視野角からの可視画像）をＡ画像、第２視野角から演出表示装置１１５の表示面をみた場合に視認できる画像（第２視野角からの可視画像）をＢ画像とする。なお、正面から演出表示装置１１５の表示面をみた場合には、Ａ画像およびＢ画像の両方を視認できる。即ち、Ａ画像を視認できる視野角が第１視野角、Ｂ画像を視認できる視野角が第２視野角である。
【０１００】
次に、正面から演出表示装置１１５の表示面をみているとき、遊技者からはどのような画像を視認できるかについて、図１３を参照しつつ説明する。
【０１０１】
一般人の左右の眼の視点間距離Ｈの平均値は６０〜６５ｍｍ程度であるので、この実施形態における演出表示装置１１５は、水平方向（即ち、遊技者からみて横方向）の幅が６５ｍｍよりも大きいものが用いられている。
【０１０２】
この演出表示装置１１５は、第１表示領域１１５ａ、第２表示領域１１５ｂおよび第３表示領域１１５ｃを含んでいる。
【０１０３】
第１表示領域１１５ａは、左目よりも紙面右側であって且つ右目よりも紙面左側に位置している。第２表示領域１１５ｂは、左目よりも紙面左側に位置している。第３表示領域１１５ｃは、右目よりも紙面右側に位置している。即ち、第２表示領域１１５ｂおよび第３表示領域１１５ｃが、第１表示領域１１５ａを挟んで水平方向の端部に位置している。また、演出表示装置１１５は、第１表示領域１１５ａが遊技盤５の略中央部に位置するように遊技盤５に配置されている。なお、これらの各領域１１５ａ，１１５ｂ，１１５ｃは、遊技者の視点間距離Ｈによって変わる概念上のものである。
【０１０４】
ただし、Ａ画像とＢ画像とが互いに異なる画像を表示可能な領域を第２表示領域１１５ｂおよび第３表示領域１１５ｃ、Ａ画像とＢ画像とが実質的に同じ画像を表示可能な領域を第１表示領域１１５ａとしてもよい。
【０１０５】
なお、第１表示領域１１５ａ、第２表示領域１１５ｂおよび第３表示領域１１５ｃは、水平方向に実施的に平行な方向に隣接している。また、これらの各領域１１５ａ，１１５ｂ，１１５ｃに表示される画像は連続的に表示される。即ち、第１表示領域１１５ａと第２表示領域１１５ｂとの境界部および第１表示領域１１５ａと第３表示領域１１５ｃとの境界部が、遊技者によって認識できない。従って、この演出表示装置１１５をみるとき、遊技者は、従来の演出表示装置と同様の感覚で、演出表示装置１１５の表示面に表示される画像を視認することができる。
【０１０６】
先ず、左目で視認できる画像について説明する。図１３（ａ）に示されるように、第２表示領域１１５ｂにおいてはＢ画像のみを、第１表示領域１１５ａおよび第３表示領域１１５ｃにおいてはＡ画像のみを、それぞれ視認できる。換言すれば、第２表示領域１１５ｂにおいてはＡ画像を視認することができず、第１表示領域１１５ａおよび第３表示領域１１５ｃにおいてはＢ画像を視認することができない。ただし、第１表示領域１１５ａと第２表示領域１１５ｂとの境界部（即ち、演出表示装置１１５の表示面と左目の視線とが直交する部位）においては、Ａ画像およびＢ画像を視認することができる。
【０１０７】
次に、右目で視認できる画像について説明する。図１３（ｂ）に示されるように、第１表示領域１１５ａおよび第２表示領域１１５ｂにおいてはＢ画像のみを、第３表示領域１１５ｃにおいてはＡ画像のみを、それぞれ視認できる。換言すれば、第１表示領域１１５ａおよび第２表示領域１１５ｂにおいてはＡ画像を視認できず、第３表示領域１１５ｃにおいてはＢ画像を視認できない。ただし、第１表示領域１１５ａと第３表示領域１１５ｃとの境界部（即ち、演出表示装置１１５の表示面と右目の視線とが直交する部位）においては、Ａ画像およびＢ画像を視認することができる。
【０１０８】
従って、遊技者が正面から演出表示装置１１５の表示面をみたとき、遊技者の両目で視認できる画像は、第１表示領域１１５ａにおいてはＡ画像およびＢ画像、第２表示領域１１５ｂにおいてはＢ画像のみ、第３表示領域１１５ｃにおいてはＡ画像のみとなる。
【０１０９】
一方、図１２に示すように、遊技者が、第１視野角から演出表示装置１１５の表示面をみたときはＡ画像のみを視認でき、第２視野角から演出表示装置１１５の表示面をみたときはＢ画像のみを視認できる。
【０１１０】
なお、遊技者は、通常、正面から演出表示装置１１５の表示面をみて遊技を行っている。従って、通常時、遊技者からは、第２表示領域１１５ｂにおけるＡ画像および第３表示領域１１５ｃにおけるＢ画像を視認することができないので、この視認できない画像を用いて演出を行えば、所謂「隠れ演出」を行うことができる。
【０１１１】
［本体枠の機構装着体、球タンクおよびタンクレールの構成］
図８および図９を参照しつつ説明する。図８は、パチンコ機１の本体枠３に各種部材が組み付けられた状態を斜め右上後方から示す斜視図であり、図９は、本体枠３単体を斜め右上後方から示す斜視図である。
【０１１２】
本体枠３の機構装着体１３には、タンク装着部１３３、レール装着部１３４および払出装置装着部１３５等がそれぞれ形成され、タンク装着部１３３には球タンク１３６が装着されている。
【０１１３】
球タンク１３６は、透明な合成樹脂材よりなり、島設備から供給される多数の遊技球が貯留可能な上方に開口する箱形状に形成されている。そして、球タンク１３６の遊技球の貯留状態が球タンク１３６の後側壁を透して視認可能となっている。
【０１１４】
また、球タンク１３６の底板部１３７の後側隅部には遊技球を放出する放出口１３８が形成されるとともに、底板部１３７は放出口１３８に向けて下傾する傾斜面に形成されている。
【０１１５】
本体枠３の機構装着体１３には、そのタンク装着部１３３に下方に接近してレール装着部１３４が一体に形成され、そのレール装着部１３４にレール構成部材１３９が装着されることでタンクレール１５０が構成されるようになっている。即ち、この実施形態において、レール装着部１３４は、本体枠３の上部横方向部分が所定深さ凹まされた状態で形成されており、その凹部の奥側壁をタンクレール１５０の前壁部１５１とし、その凹部の下縁部に沿って一端（図９に向かって左側）から他端（図９に向かって右端）に向けて下傾する傾斜状のレール棚１５５が形成されている。そして、レール棚１５５の横方向に伸びる上向き面をレール受け部１５８としている。
【０１１６】
レール装着部１３４に装着されてタンクレール１５０を構成するレール構成部材１３９は、レール装着部１３４の前壁部１５１との間にレール通路を構成する後壁部１５２と、傾斜状をなす下板部と、その下板部の上面の前後方向中央部に沿って突設されレール通路を前後複数列（この実施形態では前後２列）に区画する仕切り壁（いずれも図示せず）とを一体に備えて形成されている。
【０１１７】
レール構成部材１３９は、レール装着部１３４に対し適宜の取付手段によって装着され、これによって、前後複数列のレール通路を備えたタンクレール１５０が構成されている。そして、球タンク１３６の放出口１３８から放出（自重によって落下）された遊技球がタンクレール１５０の前後複数列のレール通路の一端部においてそれぞれ受けられた後、遊技球が自重によってレール通路に沿って転動することでレール通路の他端部に向けて流れるようになっている。
【０１１８】
また、この実施形態において、レール構成部材１３９は、透明な合成樹脂材より形成され、これによって、レール通路内の遊技球の流れ状態が、レール構成部材１３９の後壁部１５２を透して視認可能となっている。
【０１１９】
タンクレール１５０（レール装着部１３４）の前壁部１５１は、遊技盤５の後側に突出する装備品（例えばセンター役物９１）における後部の上端部との干渉を避けるため第１空間部を隔てた状態で設けられている。
【０１２０】
また、この実施形態において、本体枠３の後端部となるレール棚１５５の後端と、タンクレール１５０の後壁部は、球タンク１３６の後側壁と略同一面をなしている。換言すれば、球タンク１３６の後壁部に対しタンクレール１５０の後壁部が略同一面となる位置までタンクレール１５０が遊技盤５の後面より後方に離隔して配置されている。これによって、遊技盤５の後側とタンクレール１５０の前壁部１５１との間にセンター役物９１の後部との干渉を避けるための第１空間部が設けられるようになっている。
【０１２１】
タンクレール１５０の上方には、レール通路を流れる遊技球を上下に重なることなく整列させる整流体１５６がその上部において軸１５７を中心として揺動可能に装着されている。この整流体１５６には、その中央部から下部において錘が設けられている。
【０１２２】
［払出装置装着部および球払出装置の構成］
図８および図９を参照しつつ説明する。本体枠３の機構装着体１３の片側寄りの上下方向には、次に述べる球払出装置（球払出ユニット）１７０に対応する縦長の払出装置装着部１３５が形成されている。払出装置装着部１３５は、後方に開口部をもつ凹状に形成されている。
【０１２３】
また、払出装置装着部１３５の段差状をなす奥壁部（図示しない）の所定位置には、球払出装置１７０の払出用モータ１７２（図４参照）が突出可能な開口部１７３が形成されている。
【０１２４】
払出装置装着部１３５の凹部に球払出装置１７０が装着された状態において、遊技盤５との間には、第１空間部と前後方向に略同一レベルとなる第２空間部が設けられている。これによって、レール通路と球通路とが前後方向に略同一レベルで配置されている。
【０１２５】
また、本体枠３の後端、即ち、払出装置装着部１３５の周壁部後端、レール棚１５５の後端、球タンク１３６、タンクレール１５０および球払出装置１７０のそれぞれの後面は略同一面をなしている。
【０１２６】
球払出装置１７０は、払出装置装着部１３５の凹部と略同じ大きさの縦長のボックス形状をなし、払い出しに関す各種部品が装着されることでユニット化されている。
【０１２７】
なお、球払出装置１７０は、払出装置装着部１３５の凹部の後方開口部から嵌め込まれて適宜の取付手段（例えば、弾性クリップ、係止爪、ビス等の取付手段）によって装着されるようになっている。
【０１２８】
また、図示しないが、球払出装置１７０は、タンクレール１５０におけるレール通路の出口にそれぞれ連通する流入口を有する球通路が前後複数列（例えば前後２列）に区画されて形成されている。また、その内部に形成された前後複数列の球通路の下流部が二股状に分岐されて前後複数列の賞球および貸球用球通路と球抜き用球通路とがそれぞれ形成されている。そして賞球および貸球用球通路と球抜き用球通路との分岐部には、遊技球をいずれかの通路に振り分けて払い出すための回転体よりなる払出部材（図示しない）が正逆回転可能に配設されている。
【０１２９】
［本体枠の後側下部の装備について］
図４および図５を参照しつつ説明する。本体枠３の前枠体１１の後側において、遊技盤装着枠１２よりも下方に位置する前枠体１１の後下部領域の片側（図５に向かって左側）には、発射レール１９の下傾端部の発射位置に送られた遊技球を発射するための発射ハンマー（図示しない）、その発射ハンマーを差動する発射モータ１９２等が取付基板１９３に組み付けられてユニット化された発射装置ユニット１９４が装着されている。
【０１３０】
前枠体１１の後下部領域の略中央部には、電源基板１９５を収容する電源基板ボックス１９６が装着され、その電源基板ボックス１９６の後側に重ね合わされた状態で払出制御基板１９７を収容する払出制御基板ボックス１９８が装着されている。
【０１３１】
払出制御基板１９７は、遊技球を払い出す数を記憶するＲＡＭを備え、主制御基板１３１から送信される払出用信号に従って遊技球を払い出す制御信号を中継用回路基板（図示しない）に伝達して払出用モータ１７２を作動制御するようになっている。
【０１３２】
［後カバー体の構成］
図５および図６を参照しつつ説明する。図６はパチンコ機１の後側全体を右上後方から示す斜視図である。
【０１３３】
遊技盤５後面に配置された表示装置制御基板ボックス１１７（図１１参照）および主制御基板ボックス１３２の後端部は機構装着体１３の中央部に開口された窓開口部に向けて突出している。
【０１３４】
機構装着体１３の窓開口部の一側壁を構成する側壁部と他端壁を構成する払出装置装着部１３５の片側壁との間には、不透明な合成樹脂材によって略方形の箱形状に形成された後カバー体２１０がカバーヒンジ機構２１１によって開閉並びに着脱可能に装着されている。
【０１３５】
後カバー体２１０は、略四角形状の後壁部２１２と、その後壁部２１２の外周縁から前方に向けて突出された周壁部２１３とから一体に構成されている。後カバー体２１０の周壁部２１３のうち、一側の壁部２１３ａには、機構装着体１３の後壁部の上下および中間の計３箇所に形成されたヒンジ体２１４のヒンジ孔の上方からそれぞれ着脱可能に嵌め込まれるヒンジピン２１５を下向きに有するヒンジ体２１６が一体に形成されている。
【０１３６】
また、後カバー体２１０の周壁部２１３のうち、他側の壁部２１３ｂには、払出装置装着部１３５の片側壁に形成された係止孔に弾性的に係合可能な係止爪を有する弾性閉止体２１７が一体に形成されている。
【０１３７】
即ち、後カバー体２１０は、その上下および中間のヒンジ体２１６の各ヒンジピン２１５が機構装着体１３の側壁部のヒンジ体２１４のヒンジ孔の上方からそれぞれ嵌め込まれる。この状態で、ヒンジピン２１５を中心として後カバー体２１０が機構装着体１３の他側に向けて回動されながら、その弾性閉止体２１７を払出装置装着部１３５の片側壁の係止孔に差し込んで弾性的に係合させることで、機構装着体１３の後側に後カバー体２１０が閉じ状態で保持される。そして、後カバー体２１０によって、遊技盤５後面の表示装置制御基板ボックス１１７（図１１参照）全体および主制御基板ボックス１３２の略中間部から上端にわたる部分が後カバー体２１０によって覆われるようになっている。これによって主制御基板ボックス１３２の上部に露出された主制御基板１３１の基板コネクタ（主として表示装置制御基板１１６と接続するための基板コネクタ）が後方から視認不能に隠蔽されている。
【０１３８】
また、主制御基板ボックス１３２の略中間部から下端にわたる部分は後カバー体２１０によって覆われることなく露出されている。そして、主制御基板ボックス１３２の下部には、その主制御基板１３１上に配置された検査用コネクタ２１８が露出されており、後カバー体２１０が閉じられた状態で主制御基板１３１上の検査用コネクタ２１８に基板検査装置（図示しない）を接続して検査可能となっている。
【０１３９】
後カバー体２１０には、多数の放熱孔２３０，２３１，２３２，２３３が貫設されており、これら多数の放熱孔２３０，２３１，２３２，２３３から内部の熱が放出されるようになっている。この実施形態において、後カバー体２１０には、その周壁部２１３から後壁部２１２に延びる多数のスリット状の放熱孔２３０が貫設され、後壁部２１２の略中間高さ位置から上部においては多数の長円形、楕円形等の放熱孔２３１が貫設され後壁部２１２の下部には多数の長円形、楕円形等の放熱孔２３２と所定数の横長四角形状の放熱孔２３３が貫設されている。
【０１４０】
また、横長四角形状の放熱孔２３３は、主制御基板ボックス１３２の封印ねじ（封印部材）によって封印される複数の並列状の封印部２３５の列の大きさおよび配設位置に対応する大きさおよび位置に貫設されている。これによって、不透明な後カバー体２１０が閉じられた状態であっても、主制御基板ボックス１３２の複数の並列状の封印部２３５が放熱孔２３３の部分において視認可能に露出される。このため、後カバー体２１０が閉じられた状態であっても、主制御基板ボックス１３２の封印部２３５の封印状態を容易に視認することができる。また、不透明な合成樹脂材は、透明な合成樹脂材と比べ、リサイクル使用される合成樹脂材を材料として用いることが容易であるため、後カバー体２１０を安価に製作することができる。
【０１４１】
後カバー体２１０の周壁部２１３のうち、上側壁部２１３ｃの所定位置（この実施形態では左右２箇所）には、電源コード（図示しない）を適宜に折り畳んだ状態で保持する略Ｃ字状でかつ弾性変形可能なコード保持体２３７が上方のタンクレール１５０の後壁面（レール構成部材１３９の後壁面）に向けて延出されている。このコード保持体２３７の先端部には、同コード保持体２３７を弾性変形させて電源コードを取り外すためのつまみが形成されている。
【０１４２】
電源コードは、その一端が分電基板２３８の基板コネクタ２３９に取り外し可能に接続され、他端の電源プラグが電源コンセントに差し込まれる。前記したように、後カバー体２１０にコード保持体２３７を一体に形成して電源コードを保持することで、パチンコ機を運搬・保管する際に電源コードがぶらついて邪魔になったり、異物に引っ掛かる不具合を防止することができる。
【０１４３】
［本体枠の後側下部の下皿用球誘導体等の構成］
図２および図７を参照しつつ説明する。図７は、図６に示すパチンコ機１の斜視図から後カバー体２１０および各種制御基板等を取り外した状態を示す斜視図である。
【０１４４】
本体枠３の後下部領域の他側寄り部分（ヒンジ寄り部分）には、そのスピーカボックス部１６の後段差部の凹み部分において下皿用球誘導体２５３が装着されている。この下皿用球誘導体２５３は、球払出装置１７０の賞球および貸球用球通路から上皿連絡路（図示しない）を経て上皿５１に払い出された遊技球が満杯になったときに、上皿連絡路の遊技球を下皿３１に導くためのものである。
【０１４５】
なお、この実施形態において、下皿用球誘導体２５３の後壁外面には、インターフェース基板２５２を収納している基板ボックス２５４が装着されている。なお、インターフェース基板２５２は、パチンコ機１に隣接して設置される貸球機と払出制御基板１９７との間に介在され、球貸に関する信号を球貸機と払出制御基板１９７との間で送受信可能に電気的に接続するようになっている。
【０１４６】
［特別図柄表示器の構成］
図３を参照しつつ説明する。本実施形態では、センター役物９１の下縁部のうち、左側に四つのＬＥＤ１１０が配列されており、これらＬＥＤ１１０の配列が特別図柄表示器として機能している。また、その右側にある四つのＬＥＤ１１１の配列は、保留球ランプとなっている。
【０１４７】
本実施形態において、特別図柄表示器の機能はＬＥＤ１１０の点灯・消灯によって実現することができる。例えば、始動入賞を契機として四つのＬＥＤ１１０をいろいろなパターンで点滅させることにより、特別図柄の変動状態を表示する。そして、一定の変動時間が終了すると、４つのＬＥＤ１１０の点灯・消灯表示パターンによって特別図柄の確定した停止図柄を表示する。これにより、抽選が行われると、その結果情報がＬＥＤ１１０の点灯・消灯によって報知される。なおＬＥＤ１１０の点灯・消灯による特別図柄の変動表示および停止表示の制御は、主制御基板１３１により行われる。
【０１４８】
具体的には、個々のＬＥＤ１１０は１色（例えば赤色）の発光タイプであり、各ＬＥＤ１１０は「消灯」および「点灯」の２通りに表示パターンを切り替えることができる。従って、四つのＬＥＤ１１０を配列した場合の点灯・消灯表示パターンは、全部で１６通り（２４  ＝１６）のものを用意することができる。
【０１４９】
なお、ここでは説明の便宜のために１色だけとしているが、ＬＥＤ１１０の点灯色は２色以上であってもよい。また、ＬＥＤ１１０の配置は１箇所にまとまっている必要はなく、ばらばらに配置されていてもよいし、特に盤面上に配置されている必要もない。あるいは特別図柄を五つ以上のＬＥＤによって表示してもよいし、７セグメントＬＥＤを用いて表示してもよい。
【０１５０】
一方で、本実施形態のパチンコ機１では、遊技者に利益が付与される態様として２つの大当たり態様が用意されており、これらは「通常（非確変）大当たり」および「確変大当たり」に区別される。
【０１５１】
「通常（非確変）大当たり」は、例えば最大３０秒間にわたってアタッカ装置９８を一定パターンで開閉させるラウンド動作を１５ラウンドまで繰り返すものであり、このようなラウンド動作の繰り返しは「大当たり遊技」と称されている。
【０１５２】
遊技者は、大当たり遊技の間に遊技球を大入賞口に入賞させることで、多くの賞球を獲得することができる。なお、各ラウンド動作は３０秒間が経過するか、１０個の入賞球がカウントされるかのいずれかの条件を満たすと終了する。また大当たり遊技は、ラウンド動作が１５回終わると終了となる。
【０１５３】
「確変大当たり」は、「通常（非確変）大当たり」と同様の大当たり遊技を可能とするものであるが、大当たり遊技の終了後、次回大当たりの抽選確率を通常時よりも高く設定（例えば、通常の大当たり確率が３２０分の１のところ、５倍の６４分の１に変更）する特典が付加される。このため遊技者が確変大当たりを引き当てると、次の大当たり確率が高くなって大当たりを連続的に引き当てる（いわゆる連荘）ことが可能となる。
【０１５４】
なお、上記「通常（非確変）大当たり」および「確変大当たり」でいう具体的な数値は、本発明の実施において最良のものである。その上で、これら数値については各種の変更が可能であり、最良の数値によって限定されることはない。
【０１５５】
また、上記の「確変大当たり」によって確率変動状態（高確率状態）になると、毎回の始動入賞を契機として確率変動状態の維持抽選（転落抽選）が行われるものとしてもよい。維持抽選は一定確率で行われ、この維持抽選で落選すると、内部的に高確率状態から低確率状態（通常確率）へ引き戻される処理が行われる。
【０１５６】
［主基板および周辺基板の機能的構成］
図１４を参照しつつ説明する。図１４は制御構成を概略的に示すブロック図である。パチンコ機１の制御は、大きく分けて主基板３１０のグループと周辺基板３１１のグループとで分担されており、このうち主基板３１０のグループが遊技動作（入賞検出や当たり判定、特別図柄表示、賞球払出等）を制御しており、周辺基板３１１のグループが演出動作（発光装飾や音響出力、液晶表示等）を制御している。
【０１５７】
主基板３１０は、主制御基板１３１と払出制御基板１９７とから構成されている。主制御基板１３１は、中央演算装置としてのＣＰＵ３１４、読み出し専用メモリとしてのＲＯＭ３１５、読み書き可能メモリとしてのＲＡＭ３１６を備えている。
【０１５８】
ＣＰＵ３１４は、ＲＯＭ３１５に格納されている制御プログラムを実行することによりパチンコ機１で行われる各種遊技を制御したり、周辺基板３１１や払出制御基板１９７に出力するコマンド信号を作成したりする。
【０１５９】
ＲＡＭ３１６には、主制御基板１３１で実行される種々の処理において生成される各種データや入力信号等の情報が一時的に記憶される。
【０１６０】
主制御基板１３１には、ゲートセンサ３１７、始動口センサ３１８、カウントセンサ３１９、Ｖ入賞センサ３３０等からの検出信号が入力される。一方、主制御基板１３１は、ソレノイド３３１、特別図柄表示器３３２、普通図柄表示器１１２ａ等への駆動信号を出力する。
【０１６１】
また、払出制御基板１９７は、中央演算装置としてのＣＰＵ３３３、読み出し専用メモリとしてのＲＯＭ３３４、読み書き可能メモリとしてのＲＡＭ３３５を備えている。
【０１６２】
そして、払出制御基板１９７は、主制御基板１３１から入力したコマンド信号を処理し、球払出装置１７０に駆動信号を出力する。これにより、球払出装置１７０は、駆動信号に従って遊技球を払い出す。
【０１６３】
主制御基板１３１と払出制御基板１９７との間では、それぞれの入出力インターフェースを介して双方向通信が実施されており、例えば主制御基板１３１が賞球コマンドを送信すると、これに応えて払出制御基板１９７から主制御基板１３１にＡＣＫ信号が返される。
【０１６４】
一方、周辺基板３１１には、サブ統合基板３３６の他に例えば複数の電飾制御基板３３７，３３８や波形制御基板３３９とが含まれる。上記の主制御基板１３１とサブ統合基板３３６との間では、それぞれの入出力インターフェースと入力インターフェースとの間で一方向だけの通信が行われており、主制御基板１３１からサブ統合基板３３６へのコマンドの送信はあっても、その逆は行われない。
【０１６５】
サブ統合基板３３６もまた、ＣＰＵ３５０をはじめＲＯＭ３５１やＲＡＭ３５２等の電子部品を有しており、これら電子部品によって所定の演出制御プログラムを実行することができる。
【０１６６】
サブ統合基板３３６とその他の電飾制御基板３３７，３３８や波形制御基板３３９との間では、それぞれの入出力インターフェースとの間で双方向に通信が行われる。
【０１６７】
一つ目の電飾制御基板３３７には主に保留球ランプ１１１と、サイド装飾装置５２等を含む装飾ランプ３５３とが接続されており、サブ統合基板３３６から電飾制御基板３３７に対して保留球ランプ１１１や装飾ランプ３５３の点灯信号が送信されると、これを受けて電飾制御基板３３７が各ランプ１１１，３５３を点灯させる処理を行う。
【０１６８】
二つ目の電飾制御基板３３８には演出表示装置１１５と共に演出ランプ３５４が接続されている。例えばサブ統合基板３３６から演出表示装置１１５に対する表示コマンドが電飾制御基板３３８に送信されると、これを受けて電飾制御基板３３８は実際に演出表示装置１１５を作動させる処理を行う。
【０１６９】
また、図示していないが、これ以外にも、例えばキャラクタ体６２等の可動体を駆動させるためのモータまたはソレノイド等の駆動部材が電飾制御基板３３７，３３８等に接続されている。
【０１７０】
波形制御基板３３９は、音響出力としての可聴音波のほか、不可聴である超音波等の波形信号を生成・送受信する処理を実行している。例えば、サブ統合基板３３６から音響出力コマンドが波形制御基板３３９に送信されると、これを受けて波形制御基板３３９は上記のスピーカ１８，５７を駆動する処理を行う。
【０１７１】
この他にも、波形制御基板３３９には超音波送受信装置３５６が接続されており、この超音波送受信装置３５６は、複数の台間で超音波による通信を可能とする。通常、ホールの島設備には複数台のパチンコ機１が並べて設置されるが、超音波送受信装置３５６を装備しているパチンコ機１同士の間では、相互に超音波通信が可能となる。この通信機能を用いて、複数のパチンコ機１で演出動作をシンクロナイズさせたり、特定の台間で遊技情報の交換を行ったりすることができる。
【０１７２】
なお、電飾制御基板３３７，３３８、および波形制御基板３３９にも、それぞれ中央演算装置としてのＣＰＵ３５７，３５８，３５９、読み出し専用メモリとしてのＲＯＭ３７０，３７１，３７２、および読み書き可能メモリとしてのＲＡＭ３７３，３７４，３７５を備えている。
【０１７３】
次に、主制御基板１３１（特にＣＰＵ３１４）で実行される制御処理の例について説明する。
【０１７４】
［始動入賞処理について］
図１５を参照しつつ説明する。図１５は始動入賞処理のルーチンを示している。この始動入賞処理では、遊技中に始動入賞が有るか否かが判断される（ステップＳ１０１）。具体的には、上記の入球装置９６（図３参照）に対応する始動口センサ３１８（図１４参照）から検出信号が入力されると始動入賞有りと判断される。一方、検出信号の入力がなければ、始動入賞は無いものと判断ささる。
【０１７５】
始動入賞が有りと判断された場合（ステップＳ１０１においてＹＥＳ）、次に、始動保留数が最大の４より少ないか否かが判断される（ステップＳ１０２）。このとき既に始動保留数が４に達していれば（ＮＯ）、そのまま始動入賞処理のルーチンがリターンされる。一方、始動保留数が４より少なければ（ＹＥＳ）、次に保留格納処理が行われる（ステップＳ１０３）。この保留格納処理では、例えばＲＡＭ３１６（図１４参照）内に確保されている保留数カウンタに「１」が加算され、併せて保留球ランプ（ＬＥＤ）１１１（図３参照）の点灯個数が一つ増加される。
【０１７６】
また、保留格納処理では、合わせて乱数値の取得が行われる。このとき取得される乱数値には、例えば大当たり判別用乱数、大当たり図柄用乱数、可変変動用乱数（可変変動カウンタ）および演出表示パターン乱数等が含まれている。このうち大当たり判定用乱数は、大当たりであるか否かを決定するための乱数である。次の大当たり図柄用乱数は、大当たり判定用乱数によって大当たりと判別された場合に使用されるものであり、具体的には、特別図柄表示器３３２（図１４参照）によって停止表示される表示パターン（四つのＬＥＤ１１０（図３参照）における点灯状態の組み合わせパターン）を特定するための乱数である。そして可変変動用乱数（可変変動カウンタ）は、特別図柄表示器３３２（図１４参照）による図柄の変動時間を可変させるための乱数である。また、演出表示パターン乱数は、演出表示装置１１５（図３参照）に表示される演出表示の変動表示パターンを特定するための乱数である。以上の各乱数値が取得され、これらが例えばＲＡＭ３１６（図１４参照）に格納されると、保留格納処理を終えて本ルーチンがリターンされる。
【０１７７】
［遊技作動処理について］
図１６を参照しつつ説明する。図１６は始動入賞に伴う遊技作動処理のルーチンを示している。この遊技作動処理では、最初に始動保留が有るか否かが判断される（ステップＳ２０１）。具体的には、保留数カウンタの数値が０でない場合、始動保留があると判断され（ＹＥＳ）、次に特別図柄表示器３３２における特別図柄（点灯状態）が未変動状態か否かが判断される（ステップＳ２０２）。このとき特別図柄表示器３３２にて未だ変動表示が開始されていなければ（ＹＥＳ）、次に保留シフト処理が実行される（ステップＳ２０３）。
【０１７８】
保留シフト処理では、保留数カウンタの値が「１」だけ減算されると共に、ＲＡＭ３１６（図１４参照）の保留格納領域に記憶されている各乱数値の内容をシフトする処理が行われる。そして、これに続いて特図変動設定処理が実行され（ステップＳ２０４）、ここでは特別図柄の変動時間の設定や、変動停止時の表示パターンが設定される。なお、特図変動設定処理の内容については、さらに別のフローチャート（図１７，図１８）を用いて詳しく後述する。
【０１７９】
特図変動設定処理（ステップＳ２０４）が終了すると、次に情報出力処理（ステップＳ２０５）が実行され、ここでは主制御基板１３１（図１４参照）からサブ統合基板３３６（図１４参照）に対して制御情報コマンドの生成・送信が行われる。サブ統合基板３３６（図１４参照）は、受信した制御情報コマンドに基づいて主制御基板１３１（図１４参照）の制御情報（始動入賞・保留の有無、特別図柄の変動・停止表示態様、当たり判定結果、確率変動の有無、および演出画像の変動パターン等）を解釈し、所定の演出動作を制御する。
【０１８０】
図１６の遊技作動処理では、最後に当たり判定処理（ステップＳ２０６）が実行される。なお、遊技作動処理の開始時に保留数カウンタの値が０であったり（ステップＳ２０１においてＮＯ）、保留数カウンタの値が０でなくとも特別図柄表示器３３２（図１４参照）が変動中であったり（ステップＳ２０２においてＮＯ）した場合は、いずれも保留シフト処理（ステップＳ２０３）、および特図変動設定処理（ステップＳ２０４）を迂回して情報出力処理（ステップＳ２０５）および当たり判定処理（ステップＳ２０６）が実行される。
【０１８１】
当たり判定処理（ステップＳ２０６）では、特別図柄の変動開始時にセットされた当たりフラグを参照し、当たりフラグがセットされていればさらに別の処理（図１９）を実行する。
【０１８２】
［特図変動設定処理（ステップＳ２０４）の詳細について］
図１７および図１８を参照しつつ説明する。図１７は、上記の特図変動設定処理に含まれる特図変動設定処理Ａの内容を示し、図１８は特図変動設定処理Ｂの内容を示している。
【０１８３】
この特図変動設定処理Ａでは主に、抽選結果によって特別図柄表示器３３２（図１４参照）による変動時間の設定や停止時の表示パターンの選択が行われる。具体的には、既に取得されている大当たり判定用乱数に基づいて抽選の結果が判断され（ステップＳ３０１）、当選（大当たり）であった場合（ＹＥＳ）は、大当たり時変動設定処理（ステップＳ３０２）が実行される。なお、ここでいう「当選」は、上記通常大当たり、または確変大当たりのいずれかに該当していることを意味する。
【０１８４】
これに対し、抽選の結果が外れ、つまり、通常大当たりおよび確変大当たりのいずれの当たりにも該当していないと判断された場合（ＮＯ）、既に取得されている可変変動用乱数（可変変動カウンタ）の値が所定値（例えば１０２４）と比較される（ステップＳ３０３）。可変変動用乱数は例えば０〜６５５３５の範囲内で取得されており、この乱数値が１０２４未満であれば（ＹＥＳ）、可変変動設定処理（ステップＳ３０４）が実行される。逆に、可変変動用乱数の値が１０２４以上であれば（ＮＯ）、ステップＳ３０５またはステップＳ３０６の各判断を経て変動タイマがセットされる。
【０１８５】
変動タイマは、特別図柄表示器３３２（図１４参照）による変動時間を設定するためのタイマであり、具体的には、現在の始動保留数が「０」〜「２」であれば（ステップＳ３０５においてＹＥＳ）、所定の変動タイマが比較的長めの１０秒にセットされる（ステップＳ３０７）。同様に、始動保留数が「３」であれば（ステップＳ３０６においてＹＥＳ）、変動タイマが比較的中程度の８秒にセットされ（ステップＳ３０８）、そして始動保留数が「４」であれば（ステップＳ３０６においてＮＯ）、変動タイマが比較的短めの６秒にセットされる（ステップＳ３０９）（いわゆる保留時間）。
【０１８６】
いずれにしても、変動タイマがセットされると、続いて特別図柄の停止パターンが選択される（ステップＳ３１０〜Ｓ３１２）。停止パターンは、四つのＬＥＤ１１０における点灯状態の組み合わせを、いずれの当たり態様にも該当しないパターンの中から適宜選択する。
【０１８７】
以上の特図変動設定処理Ａをまとめると、抽選結果がいずれかの大当たりに該当している場合は、別の大当たり時変動設定処理（ステップＳ３０２）が実行された後に特別図柄の変動表示が開始される（ステップＳ３１３）。一方、抽選結果がいずれの大当たりにも該当しない（外れ）場合は、取得済みの可変変動用乱数（可変変動カウンタ）の値によって６４分の１の振り分け率で別の可変変動設定処理（ステップＳ３０４）が実行されるが、それ以外（６４分の６３）の場合は始動保留数に応じて変動タイマの時間が３段階に設定された後に特別図柄の変動表示（ステップＳ３１３）が開始されることになる。
【０１８８】
ここで、ステップＳ３０４の可変変動設定処理は「外れリーチ変動」の考え方に基づくものである。即ち、基本的に抽選で外れた場合は特別図柄の変動時間が始動保留数に応じて次第に短縮されるが（ステップＳ３０７〜Ｓ３０９）、外れの場合であっても、ときには始動保留数に関係なく変動時間を長短に変更したり、特別図柄の停止パターンを変更したりすることで、あからさまに外れ変動であることを遊技者に気付かせにくくするものである。なお、この「外れ」を通常の「外れ」と区別するため、「特殊外れ」と称している。この可変変動設定処理では、例えば以下の表１で表されるテーブルによって変動時間が６通りに振り分けられている。
【０１８９】
【表１】
0005322191.tif 000002
【０１９０】
一方、ステップＳ３０２の大当たり時変動設定処理は、０〜６５５３５までの可変変動用乱数（可変変動カウンタ）の値を用いて、例えば以下の表２で表されるテーブルによって変動時間が６通りに振り分けられる。なお、表１および表２の比較から明らかなように、大当たり時における変動時間は、特殊外れ時における変動時間よりも長くなるように設定されている。換言すれば、変動時間が長いほど、大当たりとなる期待値が高くなっている。この大当たり時変動設定処理が実行されると、内部的な当たりフラグに「１」がセットされて、本ルーチンがリターンされる。
【０１９１】
【表２】
0005322191.tif 000003
【０１９２】
図１８は上記の特図変動設定処理（図１６中のステップＳ２０４）に含まれる特図変動実行処理Ｂの内容を示している。先の特図変動設定処理Ａによって特別図柄の変動が開始されると、ここでは変動期間中であるか否かが判断される（ステップＳ４０１）。具体的には、変動期間中であるか否かは上記の変動タイマを参照することで判断可能であり、変動タイマが作動していると、それによって変動期間中である（ＹＥＳ）と判断され、逆に変動タイマが停止していれば、変動期間中でない（ＮＯ）と判断される。
【０１９３】
ステップＳ４０１で特別図柄の変動期間中であると判断されると、次に変動表示制御処理（ステップＳ４０２）が実行される。ここでは、特別図柄表示器３３２（図１４参照）を構成する四つのＬＥＤ１１０（図３参照）について、例えば０〜１５のカウンタ値を取得しながらこれらを８ビットの値に割り当て、この値を用いて合計四つのスイッチ（ＬＥＤ４個分）のＯＮ／ＯＦＦを４０ｍｓ毎に切り替える処理が行われる。これにより、四つのＬＥＤ１１０（図３参照）が点滅しながら特別図柄表示器３３２（図１４参照）による高速変動が実現される。なお、ここではカウンタ値を参照してＬＥＤ１１０（図３参照）の点灯・消灯を制御しているが、例えば所定の変動パターンテーブルを用いてＬＥＤ１１０（図３参照）の点灯・消灯パターンを切り替えることもできる。
【０１９４】
この後、変動タイマがカウントアップして変動期間が終了すると、特別図柄の変動期間中ではない（ＮＯ）と判断されて、次に停止パターン表示制御（ステップＳ４０３）が実行される。この停止パターン表示制御では、先の特図変動設定処理Ａ（図１７参照）等で既に選択されている停止パターンの点灯・消灯表示パターンデータが特別図柄表示器３３２（図１４参照）に送信される。なお、パターンデータの送信は毎回の割り込み周期（例えば４ｍｓ）で行う必要はなく、適宜サンプリングすることでＬＥＤ１１０（図３参照）の発光輝度を調整することが好ましい。
【０１９５】
［大当たり処理について］
図１９を参照しつつ説明する。図１９は大当たり処理の内容を示している。内部的に条件装置が作動して大当たり処理が実行されると、先ず所定のラウンドカウンタが初期化される（ステップＳ５０１）。このラウンドカウンタは例えばＲＡＭ３１６（図１４参照）内に確保されており、この初期化に伴ってラウンドカウンタの値はリセットされる。なお、ラウンドカウンタは大当たり遊技中のラウンド数をカウントするためのものであり、その値が設定最大回数に達すると大当たり処理が終了となる。
【０１９６】
上記のラウンドカウンタが初期化された後、所定の入賞球数カウンタに「０」がセットされ（ステップＳ５０２）、続いて大入賞口（アタッカ装置９８（図３参照））が開放される（ステップＳ５０３）。そして、次のステップＳ５０４では大入賞口の開放期間が設定最大期間（例えば３０秒）内であるか否かが判断される。開放期間が設定最大期間内であれば（ＹＥＳ）、次に入賞球カウンタの値が１０未満であるか否かが判断される（ステップＳ５０５）。このとき入賞球カウンタの値が１０に満たなければ（ＹＥＳ）、大入賞口に対応するカウントセンサの検出信号がＯＮになったか否かが判断される（ステップＳ５０６）。大入賞口への入賞によりカウントセンサがＯＮになると（ＹＥＳ）、次のステップＳ５０７で入賞球数カウンタに「１」が加算され、再度ステップＳ５０４の判断が行われる。あるいは、ステップＳ５０６で大入賞口への入賞がなく、カウントセンサがＯＮになっていなければ（ＮＯ）、入賞球数カウンタが加算されることなくステップＳ５０４の判断が行われる。
【０１９７】
「通常大当たり」または「確変大当たり」の場合、通常は設定最大期間である３０秒が経過するか、あるいは入賞球が１０カウントに達するかのいずれかの条件を満たされると１ラウンドが終了となる。これら二つの条件のいずれかが満たされると、ステップＳ５０４又はステップＳ５０５の判断が否定（ＮＯ）されるので、ラウンド終了のために大入賞口が閉止（ステップＳ５０８）される。そして、次のステップＳ５０９でラウンドカウンタの値が設定最大継続回数（例えば１５ラウンド）に達したか否かが判断される。
【０１９８】
ラウンドカウンタの値が設定最大継続回数（１５ラウンド）に達していなければ（ステップＳ５０９においてＮＯ）、次にラウンドカウンタの値に「１」が加算（ステップＳ５１０）されて入賞球数カウンタが「０」にリセットされる（ステップＳ５０２）。
【０１９９】
上記の処理は「通常大当たり」または「確変大当たり」中における１ラウンド目の処理に相当する内容である。この後、ラウンド動作が繰り返されてラウンドカウンタの値が設定最大回数（１５ラウンド）に達した判断されると（ステップＳ５０９においてＹＥＳ）、そこで大当たり処理は終了となる。
【０２００】
［演出表示装置における演出表示の詳細について］
図２０〜図２９を参照しつつ説明する。図２０は、サブ統合基板３３６（図１４参照）における制御処理の内容を示しており、図２１は、電飾制御基板３３８（図１４参照）における制御処理の内容を示している。図２２および図２３は演出表示制御における機能的な構成を示し、図２４〜図２６は各種テーブルの構成を示している。図２７〜図３２は具体的な演出例を示している。
【０２０１】
ところで、これまで説明してきた処理は、純粋に主制御基板１３１（図１４参照）による遊技動作の制御に関するものであるが、サブ統合基板３３６（図１４参照）は、主制御基板１３１（図１４参照）から制御情報コマンドを受け取ると、これに基づいて各種の演出処理を実行することができるようになっている。
【０２０２】
詳細に説明すると、前述したように主制御基板１３１（図１４参照）では、保留格納処理（Ｓ１０３）において、大当たり判別用乱数、大当たり図柄用乱数、可変変動用乱数および演出表示パターン乱数等が取得される。そして、これらの乱数を基に、大当たりの有無に関する情報（当否コマンド）、大当たりの場合に「通常大当たり」または「確変大当たり」のいずれであるかを示す情報（確変・非確変コマンド）および演出表示パターンの種類に関する情報、即ち、特別図柄の変動時間に関する情報（変動表示パターンコマンド）が、変動開始コマンドとして設定され、主制御基板１３１（図１４参照）からサブ統合基板３３６（図１４参照）に送信される（Ｓ２０５）。
【０２０３】
即ち、図２２に示すように、主基板３１０には、大当たり判定用テーブル４１１、大当たり図柄用テーブル４１２、大当たり時変動時間可変用テーブル４１３、および外れ時変動時間可変用テーブル４１４が予め記憶されており、これらのテーブル４１１〜４１４を基に、抽選の当否、特別図柄表示器３３２（図１４参照）における停止図柄、および変動時間が決定される。
【０２０４】
詳しく説明すると、大当たり判定用テーブル４１１は、図２４（ａ）に示すように、大当たり判定用乱数値と大当たりの当否（大当たりの種別を含む）との関係を示すものであり、例えば、大当たり判定用乱数値のＮＡ１〜ＮＡ２が「確変大当たり」に対応し、ＮＡ３〜ＮＡ４が通常大当たりに対応し、ＮＡ５〜ＮＡ６が「外れ」に対応している。
【０２０５】
また、大当たり図柄用テーブル４１２は、図２４（ｂ）に示すように、大当たり図柄用乱数値と特別図柄表示器３３２における停止図柄との関係を示すものであり、大当たり図柄用乱数値を複数のグループに区分した種々の範囲と四つのＬＥＤ１１０の点灯状態との対応付けがなされている。
【０２０６】
なお、大当たり時変動時間可変用テーブル４１３は前述の表２に示したとおりであり、また外れ時変動時間可変用テーブル４１４は前述の表１に示したとおりであるため、ここでは詳細な説明を省略する。
【０２０７】
また、主基板３１０には、遊技状態検出手段（具体的には入球状態検出手段）３１８によって、入球装置９６（図３参照）への入賞が検出されたとき、ランダムカウンタ（図示しない）から、大当たり判定用乱数を抽出する大当たり判定用乱数抽出手段４１６と、大当たり図柄用乱数を抽出する大当たり図柄用乱数抽出手段４１７とが設けられている。
【０２０８】
また、判定用乱数および大当たり図柄用乱数を基に変動時間用乱数を抽出する変動時間用乱数抽出手段４１８が設けられている。大当たり判定用乱数抽出手段４１６によって大当たり判定用乱数が抽出されると、大当たり判定用テーブル４１１を用いて大当たりの当否を決定する当否決定手段４３０、および大当たり図柄用乱数抽出手段４１７によって大当たり図柄用乱数が抽出されると、大当たり図柄用テーブル４１２を用いて特別図柄表示器３３２における停止図柄を決定する停止図柄決定手段４３１が設けられている。
【０２０９】
さらに、変動時間用乱数抽出手段４１８によって変動時間用乱数が抽出されかつ当否決定手段４３０によって大当たりであることが決定されると、大当たり時変動時間可変用テーブル４１３を用いて特別図柄の変動時間を決定する。一方、変動時間用乱数が抽出されかつ当否決定手段４３０によって外れであることが決定されると、外れ時変動時間可変用テーブル４１４を用いて特別図柄の変動時間を決定する変動時間決定手段４３２が設けられている。
【０２１０】
主基板３１０には、特別図柄表示器３３２（図１４参照）において特別図柄の変動を開始すると共に、変動時間決定手段４３２によって決定された変動時間の経過後、停止図柄決定手段４３１によって決定された停止図柄で変動停止させる特別図柄変動制御手段４３４と、当否決定手段４３０によって大当たりであることが決定されると、特別図柄の変動停止後、遊技者に有利な遊技状態（すなわち図１９の大当たり処理）を発生させる有利遊技状態発生手段４３３と、特別図柄の変動開始前に、当否決定手段４３０によって決定された大当たりの有無に関する当否コマンドおよび特別図柄の変動態様（時間）に対応する変動表示コマンドを含む制御コマンドを発信するコマンド発信手段４３５とが設けられている。
【０２１１】
これに対し、サブ統合基板３３６では、図２０に示すように、主制御基板１３１（図１４参照）から変動開始コマンドを受け取ると（ステップＳ６０１においてＹＥＳ）、受け取ったこれらの変動開始コマンドを基に、演出表示装置１１５（図３参照）における変動設定処理を行う（ステップＳ６０２）。
【０２１２】
ここで、変動設定処理について説明する。変動設定処理は、変動表示パターンコマンドに対応した変動表示パターンを設定すると共に、当否コマンドおよび確変・非確変コマンドに基づいて装飾図柄列における最終停止図柄を決定する。例えば、「確変大当たり」の場合には、確変大当たりに相当する複数の装飾図柄の中から一つの図柄を最終停止図柄として決定する。さらに、大当たり予告の演出パターンを、これらに付加する。この演出パターンの付加は、サブ統合基板３３６（図１４参照）に設けられた乱数発生手段（図示せず）で取得した乱数値が付加される。この乱数発生手段は、例えば、０〜４９をランダムに発生させるものである。
【０２１３】
大当たり予告の演出パターンは、第１演出のみ、または第１演出、選択演出および第２演出の全部またはこれらの一部の組み合わせであり、複数の演出パターンが用意されている。そして、大当たり予告の演出パターンは、これら複数の演出パターンのなかから決定される。
【０２１４】
なお、第１演出は、図柄の変動開始後であって且つ特殊外れでない外れ時における図柄の変動停止前およびリーチ状態（特殊外れの場合および大当たり時の両方を含む）になる前の段階に表示制御される演出である。選択演出は、所定条件の下（この実施形態では、隠れ演出を行ったとき）、第１演出終了後に表示制御される演出である。第２演出は、選択演出終了後に表示制御される演出である。なお、隠れ演出は、第１演出のなかの一態様である。また、隠れ演出と選択演出とは一体不可分のものである（即ち、隠れ演出が行われると選択演出も行われる。）。さらに、選択演出および第２演出が行われる場合には、第１演出、選択演出および第２演出の順で行われる。
【０２１５】
ここで、第１演出、選択演出および第２演出の詳細について説明する。
【０２１６】
第１演出では、正面から演出表示装置１１５をみた場合に視認できない所謂「隠れ演出」が行われる。この隠れ演出は、演出表示制御手段４７５が、演出表示装置１１５の第２表示領域１１５ｂまたは／および第３表示領域１１５ｃにおけるＡ画像（第１視野角からの可視画像）とＢ画像（第２視野角からの可視画像）とが互いに異なる画像となるように表示制御する演出である。なお、このとき、演出表示制御手段４７５は、第１表示領域１１５ａにおけるＡ画像とＢ画像とが実質的に同じ画像となるように表示制御する。
【０２１７】
即ち、第２表示領域１１５ｂで隠れ演出が行われた場合には、正面から演出表示装置１１５をみた場合に視認できる可視画像と、第１視野角度から演出表示装置１１５をみた場合に視認できる可視画像とが異なる。換言すれば、遊技者が正面から演出表示装置１１５をみたとき、第２表示領域１１５ｂにおけるＡ画像を視認できない。
【０２１８】
また、第３表示領域１１５ｃで隠れ演出が行われた場合には、正面から演出表示装置１１５をみた場合に視認できる可視画像と、第２視野角度から演出表示装置１１５をみた場合に視認できる可視画像とが異なる。換言すれば、遊技者が正面から演出表示装置１１５をみたとき、第３表示領域１１５ｃにおけるＢ画像を視認できない。
【０２１９】
従って、第２表示領域１１５ｂおよび／または第３表示領域１１５ｃにおいてＡ画像とＢ画像とが異なる画像が表示された場合において、第２表示領域１１５ｂにおけるＡ画像および／または第３表示領域１１５ｃにおけるＢ画像で行われる演出（動画）が、隠れ演出となる。
【０２２０】
このように、遊技者が正面から演出表示装置１１５をみている場合には、たとえ隠れ演出が行われている場合であっても、この隠れ演出を視認することができない。
【０２２１】
なお、この実施形態では、「外れリーチ変動」であって且つサブ統合基板３３６（図１４参照）に設けられた上述の図示しない乱数発生手段によって取得した乱数値が０であるときに隠れ演出が行われる。
【０２２２】
選択演出は、第１演出において隠れ演出が行われたときに行われる演出であり、第１演出の終了後に表示制御される。この選択演出では、二以上の選択肢のうち少なくとも一つの選択肢の選択を促す選択画像が表示される。この二以上の選択肢には、正解肢と外れ肢とが含まれている。
【０２２３】
なお、いずれの選択肢が正解肢であるかについては、隠れ演出を見ていれば容易に回答できるものである。また、選択画像が演出表示装置１１５（図１４参照）に表示されたとき、予め決められた所定時間内に遊技者が押しボタン３５（図２参照）を操作することによって、選択画像に表示された選択肢からいずれかの選択肢を選択できる。
【０２２４】
第２演出は、選択演出が終了し、装飾図柄の変動がリーチ変動に移行したときに行われる表示制御である。第２演出の演出パターンには、遊技者の興趣を高める高興趣演出パターンと、この高興趣演出パターンよりも遊技者興趣が低い低興趣演出パターンとがある。  
【０２２５】
高興趣演出パターンは、例えば、いかにも大当たりが発生するのではないかといった心理を遊技者に与える演出であり、比較的華やかな演出パターンである。一方、低興趣演出パターンは、例えば、リーチ状態で最後に停止する装飾図柄が単調に回転しているのみで、到底、大当たりが発生するのではないかといった心理を遊技者に与えることができないような地味な演出パターンである。
【０２２６】
なお、詳細は後述するが、ステップＳ６０２において第２演出が含まれる演出パターンが設定される場合には、この第２演出として低興趣演出パターンが設定される。
【０２２７】
サブ統合基板３３６の制御処理に戻って、サブ統合基板３３６（図１４参照）は、設定されたこれらの変動態様を、電飾制御基板３３７，３３８（図１４参照）および波形制御基板３３９（図１４参照）に対する変動コマンドとして設定する（ステップＳ６０３）。具体的には、変動表示パターンコマンド、最終停止図柄コマンドおよび演出パターンコマンド等を設定する。
【０２２８】
変動コマンドが設定されると、サブ統合基板３３６（図１４参照）は、変動コマンドを、各制御基板３３７，３３８，３３９（図１４参照）に送信する（ステップＳ６０４）。これにより、これらの制御基板３３７，３３８，３３９（図１４参照）では、抽選結果に応じた演出表示を行ったり、その演出表示に合わせて音声等を発生させることが可能になる。
【０２２９】
ステップＳ６０４において、サブ統合基板３３６（図１４参照）が電飾制御基板３３８（図１４参照）に対して出力した変動コマンドに含まれる演出パターンが選択演出を行う演出パターンである場合には（ステップＳ６０５におけるＹＥＳ）、演出表示装置１１５（図３参照）において選択演出にかかる選択画像が表示制御されるとほぼ同時にタイマによる計時が開始される（ステップＳ６０６）。ここで、選択画像は、正解肢と外れ肢とを含む二以上の選択肢が表示される画像である。
【０２３０】
なお、サブ統合基板３３６は、演出表示装置１１５（図３参照）において装飾図柄の変動が開始してから何秒後に選択画像が表示制御されるかについて把握しており、これに基づいてタイマの計時が開始される（ステップＳ６０６）。
【０２３１】
サブ統合基板３３６におけるタイマの計時が開始すると、所定時間の間、押しボタン３５（図２参照）操作の入力待ち、即ち、選択画像に表示された選択肢のうちいずれかの選択肢の入力待ちが行われる（ステップＳ６０７）。
【０２３２】
このとき、入力された選択肢、即ち、遊技者の意思に基づいて選択された選択肢が正解肢であるとき（ステップＳ６０８におけるＹＥＳ）、第２演出の書換設定処理を行なう（ステップＳ６０９）。一方、入力された選択肢が外れ肢であるときまたはいずれの選択肢も選択されなかったときは（ステップＳ６０８におけるＮＯ）、リターンされる（即ち、第２演出の書換設定処理を行わない）。
【０２３３】
その後、書換設定された第２演出を、電飾制御基板３３７，３３８および波形制御基板３３９に対する第２演出書換コマンドとして設定する（ステップＳ６１０）。そして、この第２演出書換コマンドを、各制御基板３３７，３３８，３３９に送信する（ステップＳ６１１）。
【０２３４】
一方、電飾制御基板３３８では、サブ統合基板３３６から変動開始コマンドを受信すると（ステップＳ７０１においてＹＥＳ）、その変動開始コマンドを基に、演出表示装置１１５における変動態様を設定し（ステップＳ７０２）、その後、演出表示装置１１５を制御する（ステップＳ７０３）。
【０２３５】
ここで、ステップＳ７０２において設定された演出パターンが第２演出を含まない演出パターンであった場合には（ステップＳ７０４におけるＮＯ）、リターン、即ち、ステップＳ７０２で設定された演出パターンに基づいて変動制御する。一方、第２演出が設定されていた場合には（ステップＳ７０４におけるＹＥＳ）、第２演出書換コマンドの受信待ち処理が行われる（ステップＳ７０５）。この第２演出書換コマンドの受信待ち処理は、選択演出が表示制御されているときに行われる。
【０２３６】
サブ統合基板３３６から第２演出書換コマンドを受信した場合には（ステップＳ７０５におけるＹＥＳ）、ステップＳ７０２において設定された演出パターンのうち、第２演出の書換設定が行われる（ステップＳ７０６）。そして、書換設定された演出に基づいて第２演出の変動制御処理が行われる（ステップＳ７０７）。一方、所定時間内に第２演出書換コマンドを受信しなかった場合には（ステップＳ７０５におけるＮＯ）、リターン、即ち、ステップＳ７０２で設定された演出パターンに基づいて変動制御する。
【０２３７】
このようにして、遊技者の意思によって選択された選択肢に基づいて第２演出の書換設定処理が行なわれる。
【０２３８】
なお、この実施形態では、選択画像が表示されて、遊技者が押しボタン３５操作によっていずれかの選択肢を選択し且つかかる選択肢が正解肢であれば、高興趣演出パターンに基づいて第２演出が表示制御される。一方、予め決められた所定時間内に遊技者がいずれの選択肢も選択しなかった場合、または上記時間内にいずれかの選択肢を選択したものの、その選択肢が外れであった場合には、低興趣演出パターンに基づいて第２演出が表示制御される。
【０２３９】
ところで、図２０および図２１に示すフローチャートでは、サブ統合基板３３６および電飾制御基板３３８におけるコマンド処理のうち、とくに演出の制御に関する変動コマンドの受信処理のみを説明している。即ち、ここでは、電源投入時のコマンドや異常時のコマンドに対する処理は省略している。
【０２４０】
また、この実施形態の演出表示装置１１５において周期性をもって変動表示される装飾図柄には、例えば、左・中・右の３つの装飾図柄列が設定されており、装飾図柄列毎に変動表示されるようになっている。この装飾図柄列の変動は、装飾図柄変動制御手段４７６（図２１参照）によって制御される。一連の装飾図柄は、「０」〜「９」の数字を各々付した主装飾図柄と、絵図柄からなる副装飾図柄により構成されており、数字の昇順または降順に主装飾図柄が表示されると共に各主装飾図柄と副装飾図柄とが周期性を持って上から下への変動表示されるようになっている。そして、左装飾図柄列→右装飾図柄列→中装飾図柄列の順に変動表示が停止し、その停止時に三つの装飾図柄が大当たり装飾図柄の組み合わせ（例えば「７」，「７」，「７」）で揃えば大当たりとして特別遊技画像（動画）が表示されるようになっている。
【０２４１】
続いて、第１演出および選択演出の具体例を、図２７〜図３２を参照しつつ説明する。なお、この実施形態では、装飾図柄の図示を省略している。図２７は、演出表示装置１１５を正面からみた場合の第１演出にかかる画像である。図２８は、演出表示装置１１５を第１視野角からみた場合の第１演出にかかる画像であって、第２表示領域１１５ｂにおいて隠れ演出が行われていない場合の画像である。図２９は、演出表示装置１１５を第２視野角からみた場合の第１演出にかかる画像であって、第３表示領域１１５ｃにおいて隠れ演出が行われていない場合の画像である。図３０は、演出表示装置１１５を第１視野角からみた場合の第１演出にかかる画像であって、第２表示領域１１５ｂにおいて隠れ演出が行われている場合の画像である。図３１は、演出表示装置１１５を第２視野角からみた場合の第１演出にかかる画像であって、第３表示領域１１５ｃにおいて隠れ演出が行われている場合の画像である。図３２は、選択演出にかかる画像である。なお、図２７〜図３１はいずれも、バイクに乗ったライダーからの景色を表示している。
【０２４２】
図２７に示すように、演出表示装置１１５を正面からみたとき、前方の景色を視認することができる。また、図２８に示すように、演出表示装置１１５を第１視野角からみたときは、前方の景色に加え、第２表示領域１１５ｂにバックミラー４０１を視認することができる。なお、第３表示領域１１５ｃには前方の景色が、第１表示領域１１５ａにおける前方の景色と連続的に視認できる。さらに、図２９に示すように、演出表示装置１１５を第２視野角からみたときは、前方の景色に加え、第３表示領域１１５ｃにバックミラー４０２を視認することができる。なお、第２表示領域１１５ｂには、前方の景色が第１表示領域１１５ａにおける前方の景色と連続的に視認できる。即ち、遊技者が、正面から演出表示装置１１５をみた場合には図２７の画像を視認でき、体を左側に傾けたときは図２８の画像を視認でき、体を右側に傾けたときは図２９の画像を視認できる。
【０２４３】
隠れ演出は、演出表示装置１１５を、第１視野角からみたときに第２表示領域１１５ｂに視認できるバックミラー４０１または／および第２視野角からみたときに第３表示領域１１５ｃに視認できるバックミラー４０２において行われる。この実施形態では、図３０および図３１に示されるように、バイクに乗ったキャラクタ４１１，４１２がバックミラー４０１，４０２に映っている画像が、隠れ演出にかかる画像である。
【０２４４】
例えば、図３０では、第１視野角から演出表示装置１１５をみると、第２表示領域１１５ｂにバイクに乗ったキャラクタ４１１を視認できる。また、図３１では、第２視野角から演出表示装置１１５をみると第３表示領域１１５ｃにバイクに乗ったキャラクタ４１２を視認できる。
【０２４５】
隠れ演出は、図２９と図３０との組合せ（第１パターン）、図２８と図３１との組合せ（第２パターン）および図３０と図３１との組合せ（第２パターン）が考えられる。即ち、隠れ演出が、第１パターンでは第２表示領域１１５ｂのみで行われ、第２パターンでは第３表示領域１１５ｃのみで行われ、第３パターンでは第２表示領域１１５ｂおよび第３表示領域１１５ｃの両領域で行われている。
【０２４６】
隠れ演出が終了すると、図３２に示す選択演出が表示制御される。この選択演出にかかる画像では、街に向かう左方向および山に向かう右方向のうちいずれかの方向の選択を促している。
【０２４７】
このとき、第１演出において、第２表示領域１１５ｂにおいて隠れ演出が行われていれば左方向（街に向かう方向）が正解肢であり、第３表示領域１１５ｃにおいて隠れ演出が行われていれば右方向（山に向かう方向）が正解肢である。即ち、第２表示領域１１５ｂで隠れ演出が行われ且つ左方向を選択した場合または第３表示領域１１５ｃで隠れ演出が行われ且つ右方向を選択した場合には、第２演出が、高興趣演出パターンで行われる。
【０２４８】
一方、第２表示領域１１５ｂでのみ隠れ演出が行われ且つ右方向を選択した場合または第３表示領域１１５ｃでのみ隠れ演出が行われ且つ左方向を選択した場合には、第２演出が、低興趣演出パターンで行われる。また、所定時間内にいずれの選択肢も選択しなかった場合にも、第２演出が低興趣演出パターンで行われる。
【０２４９】
さらに、第２表示領域１１５ｂおよび第３表示領域１１５ｃの両領域で隠れ演出が行われた場合には、右方向および左方向のいずれを選択した場合であっても、第２演出が、高興趣演出パターンで行われる。
【０２５０】
また、この実施形態では、右方向を選択するときは押しボタン３５（図２参照）を連打し、左方向を選択するときは押しボタン３５を長押しするように構成されている。
【０２５１】
次に、第１演出、選択演出および第２演出の演出表示制御における機能的な構成、即ち、演出プログラムとして実現される機能的な構成について、図２３を参照しつつ説明する。図２３は、電飾制御基板２（参照符号３３８）における演出表示制御に関する機能的な構成を示すブロック図である。
【０２５２】
電飾制御基板３３８（副制御手段に相当）は、主基板３１０（主制御手段に相当、図１４参照）からサブ統合基板３３６（図１４参照）を介して送信された制御情報コマンドがコマンド手段４５１によって受信されると、これを基に演出表示装置１１５を制御する。  
【０２５３】
電飾制御基板３３８のＲＯＭ３７１（図１４参照）には、大当たりの場合に参照する大当たり時演出態様テーブル４５２と、特殊外れの場合に参照する特殊外れ時演出態様テーブル４５３とが記憶されている。大当たり時の演出態様テーブル４５２および特殊外れ時の演出態様テーブル４５３については、それぞれ、図２５および図２６に示す。なお、サブ統合基板３３６で付加された大当たりの演出パターンは、これらのテーブル４５２，４５３に基づいて決定され、演出表示装置１１５に表示制御される。
【０２５４】
また、この実施形態では、コマンド手段４５１を介して受信した制御コマンドに含まれる当否コマンドが外れであるとき、演出パターンは、隠れ演出を行わない第１演出のみの演出パターンが設定されている。当否コマンドが大当たりである場合および特殊外れである場合については、以下において説明する。
【０２５５】
当否コマンドが大当たりを示す場合には、大当たり時演出態様テーブル４５２を参照して演出パターンが決定される。なお、図２５に示すように、第１演出では隠れ演出を行わない。隠れ演出と選択演出とは一体不可分の演出であるから、選択演出も行われない。また、第２演出においては高興趣演出パターンが行われる。
【０２５６】
当否コマンドが特殊外れである場合には、外れ時演出態様テーブル４５３を参照して演出パターンが決定される。
【０２５７】
ここで、特殊外れ時の演出パターンにおける第１演出には、図２６に示すようにＰＴ１〜ＰＴ４が用意されている。ＰＴ１は、隠れ演出が行われないパターンである。ＰＴ２は、第２表示領域１１５ｂで隠れ演出が行われ且つ第３表示領域１１５ｃで隠れ演出が行われないパターンである。ＰＴ３は、第３表示領域１１５ｃで隠れ演出が行われ且つ第２表示領域１１５ｂで隠れ演出が行われないパターンである。ＰＴ４は、第２表示領域１１５ｂおよび第３表示領域１１５ｃのいずれにおいても隠れ演出が行われるパターンである。  
【０２５８】
即ち、第１演出においてＰＴ１〜ＰＴ４のいずれの演出が行われるかは、サブ統合基板３３６（図１４参照）に設けられた図示しない乱数発生手段によって決まるものである。  
【０２５９】
このようにして演出パターン決定手段４５９によって決定された演出パターンは、演出パターン記憶手段４５４から抽出されると共に、演出表示装置１１５の演出表示を制御する演出表示制御手段４７５に送られる。
【０２６０】
演出表示制御手段４７５は、送られた演出パターンに基づいて、第１演出についての画像を第１演出画像記憶手段４５５から読み出して、演出表示装置１１５に導出する。また、選択演出および第２演出が行われる場合には、選択演出についての画像を選択画像記憶手段４５６から読み出し、第２演出が行われる場合には、第２演出についての画像を第２演出画像記憶手段４５７から読み出す。そして、それぞれ読み出された画像を、演出表示装置１１５に導出する。
【０２６１】
なお、第２演出画像記憶手段４５７には、高興趣演出パターンに対応する演出画像と、低興趣演出パターンに対応する演出画像とが記憶されているが、ここでは、図２６に示されるように、常に、低興趣演出パターンに対応する画像が読み出される。ここで、第１演出画像記憶手段４５５、選択演出画像記憶手段４５６および第２演出画像記憶手段４５７の全部または一部が、この発明の演出画像記憶手段に相当する。
【０２６２】
第１演出において隠れ演出が行われるとき、演出表示制御手段４７５は、第１視野角からの可視画像と第２視野角からの可視画像とが異なる画像を、第２表示領域１１５ｂおよび第３表示領域１１５ｃのうち少なくともいずれかの領域に表示制御し、第１視野角からの可視画像と第２視野角からの可視画像とが実質的に同じ画像を第１表示領域１１５ａに表示制御する。
【０２６３】
また、選択肢受信手段４８０を介して選択肢のコマンドを受信したとき、第２演出パターン書換手段４８１は、受信したコマンドに含まれる選択肢が正解であるか否かを判断する。ここで、受信したコマンドに含まれる選択肢が正解であれば、第２演出が高興趣演出パターンに書換決定される。なお、第２演出パターン書換手段４８１におけるコマンドの受信は、選択演出が行われ且つ所定時間内に遊技者が押しボタン３５を操作したときに受信されるコマンドである。即ち、選択肢受信手段４８０は、選択演出を行っている時間を含む所定時間内にのみ、選択肢の入力を可能としている。
【０２６４】
このようにして第２演出パターン書換手段４８１によって書換決定された第２演出の高興趣演出パターンは、高興趣演出パターン記憶手段４８２から抽出されると共に、演出表示制御手段４７５に送られる。演出表示制御手段４７５は、送られた高興趣演出パターンにもとづいて、第２演出についての画像、即ち、高興趣演出パターンに対応する演出画像を、第２演出画像記憶手段４５７から読み出す。なお、これらの処理は、第２演出が行われる前に行われる。そして、演出表示制御手段４７５は、書換設定された第２演出についての画像を、演出表示装置１１５に導出する。
【０２６５】
一方、選択肢受信手段４８０を介して受信したコマンドに含まれる選択肢が不正解であるときおよび所定時間内に選択肢受信手段４８０からコマンドが受信されなかったときは、第２演出の書換処理が行われない。従って、図２６からも理解できるように、第２演出では低興趣演出パターンについての画像（動画）が表示制御される。
【０２６６】
このように、この実施形態のパチンコ機１によれば、第１視野角からの可視画像と第２視野角からの可視画像とが互いに異なる画像を表示可能な演出表示装置を用いている。従って、第２表示領域１１５ｂにおいてＡ視画像とＢ画像とが互いに異なる画像が表示されているとき、遊技者は、遊技盤を正面からみた場合と遊技盤を端部からみた場合とで、互いに異なる画像を視認できる。即ち、遊技者が正面から遊技盤５ひいては演出表示装置１１５の表示面をみる限りにおいては、第２表示領域１１５ｂにおけるＡ画像を視認できない。よって、第２表示領域１１５ｂにおけるＡ画像（動画演出）は、所謂「隠れ演出」となる。また、同様に、第３表示領域１１５ｃにおけるＢ画像（動画演出）も、「隠れ演出」となる。
【０２６７】
以上より、この隠れ演出を行うことによって、バリエーションに富んだ演出を行うことができる。その結果、三次元演出を行うこともないので、遊技者の眼に与える肉体的な負担を軽減しつつ、興趣を高めた遊技機を提供することができる。とくに、「今、隠れ演出が行われているのではないか」といった興味を遊技者に抱かせることができるので、遊技者の興趣を高める効果は大きい。
【０２６８】
また、演出表示装置１１５の第１表示領域１１５ａの水平方向の幅は６５ｍｍを超える長さである。従って、遊技者の両面の間隔の平均を上回っているので、より多くの遊技者が、隠れ演出を体感することができる。
【０２６９】
また、上述の実施形態において、特殊リーチが発生し且つ抽選に当選したときに隠れ演出を行っているが、隠れ演出と遊技球が多量に大入賞口の入賞し易い態様（即ち、大当たり処理）とを関連付けてもよい。これにより、より一層、隠れ演出に対する興趣を高めることができる。例えば、大当たり処理の予告として隠れ演出を行えば、隠れ演出が行われることによって、遊技者興趣を高めることができる。とくに、従来みられた大当たり予告のように、演出表示装置１１５をみていれば誰もが把握できた予告演出とは異なるので、その効果は大きい。
【０２７０】
また、第２演出は、遊技者が選択した選択肢に基づいて第２演出パターン書換手段４８１によって書換設定されるので、遊技者自らの意思を第２演出に反映させることができる。とくに、隠れ演出と選択すべき選択肢（即ち正解の選択肢）とを関連付けることによって、隠れ演出に対する遊技者の興味をさらに惹きつけることができる。例えば、第１演出が行われているときに演出表示装置１１５を正面からしかみていなかったとき（即ち、隠れ演出の確認ができなかったとき）であって且つ選択演出が行われた場合には、遊技者は、隠れ演出の確認を行えばよかったという非常に残念な気持ちにかられる。一方、隠れ演出を確認した遊技者は、優越感に浸ることができる。従って、遊技者は、第１演出が行われているときは、隠れ演出が行われているのではないかといったことに常に興味がそそられる。その結果、第１演出と選択演出とを関連付けて楽しむことができ、より一層、興趣を高めることができる。
【０２７１】
また、選択演出において表示制御される選択画像には、隠れ演出に関連する選択し、即ち、第２表示領域１１５ｂに対応する「左方向」、第３表示領域１１５ｃに対応する「右方向（山に向かう方向）」が含まれている。これにより、遊技者は、第１演出をみなければといった思いにより一層かられることとなる。とくに、隠れ演出が行われた表示領域に対応する選択肢を選択することによって、のちに行われる第２演出が低興趣演出パターンから高興趣演出パターンに書き換えられるので、その効果は非常に大きいものである。
【０２７２】
また、演出表示装置１１５には、第２表示領域を挟むようにして第１表示領域および第３表示領域が設けられているので、隠れ演出を、第１表示領域のみで行うことができ、また、第３表示領域のみで行うこともできる。さらに、第１表示領域および第３表示領域の両方を使って行うこともできる。このように、演出表示装置１１５が、第１表示領域１１５ａ、第２表示領域１１５ｂおよび第３表示領域１１５ｃを含み、第２表示領域１１５ｂおよび／または第３表示領域１１５ｃで隠れ演出を行うことによって、第２表示領域１１５ｂおよび第３表示領域１１５ｃのいずれか一方で隠れ演出を行う場合に比べて、演出のバリエーションを増やすことができる。従って、演出のバリエーションが増えた分、遊技者の興趣を高めた演出を行うことが可能となる。
【０２７３】
また、このように演出のバリエーションが増えると、選択演出における選択肢の数を増やすこともでき、相乗効果によって、より一層、隠れ演出および選択演出により効果を高めることができる。
【０２７４】
また、隠れ演出は、第２表示領域１１５ｂおよび第３表示領域１１５ｃのいずれの領域でも行われるので、時間的な制約等によって、遊技者は、第２表示領域１１５ｂおよび第３表示領域１１５ｃのいずれか一方しかみることができない可能性もある。これは、第１演出の表示時間には限りがあるからである。従って、いずれか一方の表示領域で隠れ演出が行われていた場合には、遊技者がたとえ隠れ演出の確認を行っても隠れ演出をみることができない場合があり、よりスリリングな隠れ演出を行うことができる。
【０２７５】
また、演出表示装置１１５における各表示領域は、水平方向に実質的に平行に隣接して配置されているので、遊技者が体を左右に動かすことにとって隠れ演出を視認することができる。とくに、左右方向への体の移動は、例えば上下方向への体の移動と比べると容易である。また、これまでのように、三次元演出のような視覚に訴える演出のみでなく、体を動かすことによって初めて隠れ演出をみることができるので、より一層、遊技者の興趣が高められる。
【０２７６】
このとき、遊技者が仮に隠れ演出を確認しなかった場合であっても、隣の遊技者から隠れ演出を視認できるため、この隣の遊技者に教えてもらうこともできる。とくに、近年は、カップルで遊技を行っている遊技者も多いことから、本人は隠れ演出が行われていることに気付かないものの、隣の彼氏または彼女が隠れ演出が行われていることに気付くことが多い。このように、１台の遊技機における演出を２人以上で楽しむことができるといった効果もある。
【０２７７】
また、隠れ演出は、最も早い段階の第１演出で行われるため、その後に行われる選択演出および第２演出も含めた一連の演出として楽しむことができるだけでなく、早い段階（即ち第１演出）から最後（即ち第２演出）まで興味を持って楽しむことができる。
【０２７８】
また、第２表示領域１１５ｂは、遊技者からみて左側に位置しており、第３表示領域１１５ｃは、遊技者からみて右側に位置している。そして、第２表示領域１１５ｂで隠れ演出が行われたときは「左方向」の選択肢が正解であり、第３表示領域１１５ｃで隠れ演出が行われたときは「右方向」の選択肢が正解である。従って、隠れ演出が行われた側と正解の選択肢とが同じ方向で一致しているため、遊技者が誤って操作してしまう可能性が低い。
【０２７９】
また、隠れ演出は、リーチ状態となる前の段階である第１演出で行っているため、遊技者は、リーチ状態となる前であっても退屈感を感じるどころか、より一層の興味を抱いて表示装置の表示に集中することができる。しかも、隠れ演出が行われると選択演出および第２演出も行われるため、これら一連の演出をみながら抽選結果を楽しむことができる。また、リーチ変動に移行する前の変動時であっても、常に遊技者に興趣を与え続けることができる。
【０２８０】
なお、本発明は、上記の好ましい実施形態に記載されているが、本発明はそれだけに制限されない。本発明の精神と範囲から逸脱することのない様々な実施形態が可能である。  
【０２８１】
例えば、上述の実施形態における演出表示装置は、後方から照射される光を左右に分離する液晶表示装置が用いられているが、必ずしも液晶表示装置に限られない。視野角が変わることによって異なる画像を表示できる表示装置であれば、ＥＬ表示装置、プラズマ表示装置およびＣＲＴ等の表示装置等であってもよい。
【０２８２】
また、上述の実施形態では、第２表示領域１１５ｂまたは／および第３表示領域１１５ｃにおいて、Ａ画像とＢ画像とが互いに異なる画像を表示制御することによって演出の興趣を高めているが、これに限られない。例えば、各表示領域に区分けして考えるのではなく、演出表示装置１１５の全表示面において、Ａ画像とＢ画像とが互いに異なる画像を表示制御するようにしてもよい。
【０２８３】
また、上述の実施形態では、隠れ演出が特殊外れの場合に行われるが、当否コマンドが大当たりであるときに行うようにしてもよい。さらに、当否コマンドが大当たりであって且つ所定の確率で隠れ演出を行うようにしてもよい。
【０２８４】
また、上述の実施形態では、第２表示領域１１５ｂで隠れ演出が行われた場合には「左方向」の選択肢を、第３表示領域１１５ｃで隠れ演出が行われた場合には「右方向」の選択肢を正解の選択肢とすることによって、選択演出における正解の選択肢と隠れ演出とを関連付けているが、これに限られない。即ち、遊技者が、隠れ演出と正解にかかる選択肢とに関連性があることを認識できればよい。
【０２８５】
また、上述の実施形態では、隠れ演出を確認すれば正解の選択肢を容易に認識することができるが、これに限られない。例えばクイズ形式にして、いずれの選択肢を選択すると第２演出の書き換えが行われるかを、遊技者に予測させるような演出であってもよい。このとき、遊技者は、隠れ演出により一層興味を惹かれることとなる。また、この場合であっても、高確率で、第２演出を高興趣演出パターンに書き換えることができることが好ましい。
【０２８６】
また、上述の実施形態では、選択肢を入力できる時間が遊技者に明示されていないが、残り秒数を、演出表示装置１１５にカウントダウン表示してもよい。このような場合であっても、選択肢を入力できる時間内にいずれの選択肢も選択しなかったとき、第２演出が、低興趣演出パターンで行われることが好ましい。
【０２８７】
また、上述の実施形態における第２演出の書き換えは、低興趣演出パターンから高興趣演出パターンに書き換えているが、これに限られない。例えば、選択演出において不正解であったときに、高興趣演出パターンから低興趣演出パターンに書き換える態様であってもよい。これにより、選択演出においていずれかの選択肢を選択しなければ、高興趣演出パターンから低興趣演出パターンに書き換えられるかもしれないといった興趣を、遊技者に与えることができる。
【０２８８】
また、上述の実施形態における演出パターン決定手段４５９が演出パターンを決定するとき、第２演出を低興趣演出パターンに決定しているが、このとき、所定の確率で高興趣演出パターンに決定されるようにしてもよい。
【０２８９】
また、上述の実施形態における第２演出は、高興趣演出パターンと低興趣演出パターンとを有しているが、これに限られない。例えば中興趣演出パターンのような演出パターンを有する等、さらに複数種類の第２演出のパターンが用意されていてもよい。さらに、高興趣演出パターンおよび低興趣演出パターンが、それぞれ、複数種類の演出パターンを有していてもよい。
【０２９０】
また、上述の実施形態の選択演出における選択肢の数は「左方向」、「右方向」および「いずれも選択せず」の３つであるが、選択肢の数がこれに限られないのはいうまでもない。
【０２９１】
なお、第２表示領域１１５ｂおよび／または第３表示領域１１５ｃにおいて、Ａ画像およびＢ画像の記憶の方法は一態様に限られない。例えば、各表示領域１１５ａ，１１５ｂ，１１５ｃ毎にＡ画像およびＢ画像を記憶する方法または演出表示装置１１５の全表示領域におけるＡ画像およびＢ画像を記憶する方法が考えられる。
【０２９２】
また、上述の実施形態において、隠れ演出を採用するとき、遊技内容は、上記の遊技内容に限定されるものではなく、多種多様の遊技内容に採用することができる。
【０２９３】
さらに、上記実施形態では、遊技機としてパチンコ機１を示したが、パチンコ機以外の遊技機、例えば、パチスロ機や、パチンコ機とパチスロ機とを融合させた遊技機等であっても本発明を適用することができる。
【０２９４】
即ち、パチンコ機とは、遊技者が遊技機に投入する媒体である遊技球等の投入媒体と、遊技者が行う実質的な遊技に用いられる媒体である遊技媒体とを同一のものとした遊技機であり、投入された例えば遊技球等の媒体を用いて遊技が行われるタイプの遊技機の一種である。具体的には、「操作ハンドルの操作に対応して遊技球を発射する発射装置と、多数の障害釘、センター役物、表示手段等の適宜の機器が組み込まれたり、始動入賞口、大入賞口、通過口、到達口等の遊技球が入球する適宜の入球口が設けられた遊技領域と、発射装置から遊技領域に遊技球を導くレールと、遊技領域に導かれた遊技球の入球口への入球に応じたり、複数の入球口への遊技球の入球態様に応じて、所定数の遊技球を賞球として払い出す払出手段とを備えるもの」である。
【０２９５】
なお、パチンコ機としては、種々のタイプのものがあり、一般に「デジパチ」と称されるものに代表される「入球口への入球状態を検出する入球状態検出手段（即ち、遊技状態検出手段）と、入球状態検出手段によって入球が検出されると所定の抽選を行う抽選手段と、抽選手段の抽選結果に応じて特別図柄を変動させると共に変動を停止させる特別図柄表示手段とを備えたもの」や「加えて、特別図柄の変動中に、複数の装飾図柄からなる装飾図柄列を変動表示させるとともに、所定のタイミングでキャラクタ等を出現させる演出表示手段をさらに備えるもの」、一般に「ハネモノ」と称されるものに代表される「役物内での遊技球の振分けによって抽選を行う抽選手段を備えたもの」、一般に「アレパチ」と称されるものに代表される「例えば１６個等の所定個数の遊技球により１ゲームが行われ、１ゲームにおける複数の入球口への遊技球の入球態様に応じて所定個数の遊技球の払出しを行うもの」等を例示することができる。
【０２９６】
一方、パチスロ機とは、遊技媒体であるメダルを投入し、メダルの投入後、始動用操作手段（例えば操作レバー）の操作に応じて複数の図柄からなる図柄列を変動表示させると共に、その後、停止用操作手段（例えばストップボタン）の操作に応じて図柄列の変動を停止させる、といった実質的な遊技を行うものであり、停止操作機能付きのスロットマシンである。なお、所定時間が経過しても停止用操作手段が操作されない場合には、所定時間経過したことに応じて図柄列の変動を停止させるものであってもよい。そして、図柄列の変動停止時における図柄の組合わせが特定の条件を満たす場合に、満たされた条件に応じて所定個数のメダルを払い出したり、遊技者が多量のメダルを獲得することができるように、遊技者に有利な特別遊離状態を発生させたりするものである。
【０２９７】
また、パチンコ機とパチスロ機とを融合させた遊技機とは、複数個（例えば５個）の遊技球を１単位の投入媒体とし、投入媒体を投入した後、始動用操作手段（例えば操作レバー）の操作に応じて複数の図柄からなる図柄列を変動表示させるとともに、その後、停止用操作手段（例えばストップボタン）の操作に応じて図柄列の変動を停止させるものである。なお、所定時間が経過しても停止用操作手段が操作されない場合には、所定時間経過したことに応じて図柄列の変動を停止させるものであってもよい。そして、図柄列の変動停止時における図柄の組合せが特定の条件を満たす場合に、満たされた条件に応じて所定個数のメダルを払い出したり、遊技者が多量のメダルを獲得することができるように、遊技者に有利な特別遊離状態を発生させたりするものである。
【０２９８】
なお、パチスロ機や、パチンコ機とパチスロ機とを融合させた遊技機等のように、投入する媒体によっては実質的な遊技が行われない遊技機では、一見、遊技媒体が存在しないかのように思われるが、このような遊技機であっても、遊技内容の全体において、遊技球やその他の適宜の物品を用いて行われる遊技を含ませることが想定できる。よって、このような遊技機であっても、遊技媒体を用いて遊技が行われる遊技機の対象とすることができる。
【図面の簡単な説明】
【０２９９】
【図１】パチンコ機の外枠の一側に本体枠が開かれその本体枠の一側に前面枠が開かれた状態を示す斜視図である。
【図２】パチンコ機の前側全体を示す正面図である。
【図３】遊技領域の構成を示す拡大正面図である。
【図４】パチンコ機の本体枠と遊技盤とを分離して斜め右上前方から示す斜視図である。
【図５】パチンコ機の後側全体を示す背面図である。
【図６】パチンコ機の後側全体を右上後方から示す斜視図である。
【図７】図６に示すパチンコ機の斜視図から後カバーおよび各種制御基板等を取り外した状態を示す斜視図である。
【図８】パチンコ機の本体枠に各種部材が組み付けられた状態を斜め右上後方から示す斜視図である。
【図９】本体枠単体を斜め右上後方から示す斜視図である。
【図１０】パチンコ機の上部側における内部構成を示す横断面図である。
【図１１】各種の制御基板ボックスが装着された遊技盤を右下後方から示す斜視図である。
【図１２】演出表示装置の平面図であって、演出表示装置の表示面を、左からおよび右から見ている概念図である。
【図１３】演出表示装置の平面図であって、正面から演出表示装置の表示面をみた場合に視認できる画像を説明するための概念図である。
【図１４】制御構成を概略的に示すブロック図である。
【図１５】始動入賞処理のルーチンを示すフローチャートである。
【図１６】始動入賞に伴う遊技作動処理のルーチンを示すフローチャートである。
【図１７】特図変動設定処理に含まれる特図変動設定処理Ａの内容を示すフローチャートである。
【図１８】特図変動設定処理Ｂの内容を示すフローチャートである。
【図１９】大当たり処理の内容を示すフローチャートである。
【図２０】サブ統合基板における制御処理の内容を示すフローチャートである。
【図２１】電飾制御基板における制御処理の内容を示すフローチャートである。
【図２２】主基板における演出表示制御に関する機能的な構成を示すブロック図である。
【図２３】電飾制御基板における演出表示制御に関する機能的な構成を示すブロック図である。
【図２４】（ａ）は大当たり判定用テーブルの構成を示し、（ｂ）は大当たり図柄用テーブルの構成を示す説明図である。
【図２５】大当たり時の演出態様テーブルの構成を示す説明図である。
【図２６】特殊外れ時の演出態様テーブルの構成を示す説明図である。
【図２７】演出表示装置を正面からみた場合の第１演出にかかる画像である。
【図２８】演出表示装置を第１視野角からみた場合の第１演出にかかる画像であって、第１表示領域において隠れ演出が行われていない場合の画像である。
【図２９】演出表示装置を第２視野角からみた場合の第１演出にかかる画像であって、第３表示領域において隠れ演出が行われていない場合の画像である。
【図３０】演出表示装置を第１視野角からみた場合の第１演出にかかる画像であって、第１表示領域において隠れ演出が行われている場合の画像である。
【図３１】演出表示装置を第２視野角からみた場合の第１演出にかかる画像であって、第３表示領域において隠れ演出が行われている場合の画像である。
【図３２】選択演出にかかる画像である。
【符号の説明】
【０３００】
１  パチンコ機（遊技機）
３５  押しボタン（意思反映手段）
１１５  演出表示装置（表示装置）
１１５ａ  第１表示領域
１１５ｂ  第２表示領域
１１５ｃ  第３表示領域
３１８  始動口センサ（遊技状態検出手段、入球状態検出手段）
４１６  大当たり判定用乱数抽出手段（抽選手段）
４１７  大当たり図柄用乱数抽出手段（抽選手段）
４１８  変動時間用乱数抽出手段（抽選手段）
４３３  有利遊技状態発生手段
４５２  大当たり時演出態様テーブル
４５３  特殊外れ時演出態様テーブル
４５４  演出パターン記憶手段
４５５  第１画像記憶手段
４５６  選択演出画像記憶手段
４５７  第２演出画像記憶手段
４５９  演出パターン決定手段
４７５  演出表示制御手段（表示制御手段）
４８１  第２演出パターン書換手段
４８２  高興趣演出パターン記憶手段
【図１】
0005322191.tif 000004
【図２】
0005322191.tif 000005
【図３】
0005322191.tif 000006
【図４】
0005322191.tif 000007
【図５】
0005322191.tif 000008
【図６】
0005322191.tif 000009
【図７】
0005322191.tif 000010
【図８】
0005322191.tif 000011
【図９】
0005322191.tif 000012
【図１０】
0005322191.tif 000013
【図１１】
0005322191.tif 000014
【図１２】
0005322191.tif 000015
【図１３】
0005322191.tif 000016
【図１４】
0005322191.tif 000017
【図１５】
0005322191.tif 000018
【図１６】
0005322191.tif 000019
【図１７】
0005322191.tif 000020
【図１８】
0005322191.tif 000021
【図１９】
0005322191.tif 000022
【図２０】
0005322191.tif 000023
【図２１】
0005322191.tif 000024
【図２２】
0005322191.tif 000025
【図２３】
0005322191.tif 000026
【図２４】
0005322191.tif 000027
【図２５】
0005322191.tif 000028
【図２６】
0005322191.tif 000029
【図２７】
0005322191.tif 000030
【図２８】
0005322191.tif 000031
【図２９】
0005322191.tif 000032
【図３０】
0005322191.tif 000033
【図３１】
0005322191.tif 000034
【図３２】
0005322191.tif 000035